(57)【要約】【構成】本発明は、本体（１１９．７７０）およびこの本体から離間延長し、支持手段（１０４．７００）の開口（１０４．７０４）に挿入できる少なくとも一つのアームまたはフックからなるブラケットまたは支持部材（１１９．７７１）に関する。この少なくとも一つのアームまたはフック（１１９．７２２）は、支持手段（１０４．７００）の後面の凹部（１０４．７０２）に受け取られる端部（１１９．７２０）を有する。本発明は、このブラケットまたは支持部材（１１９．７７１）と開口付きパネル（１２４．７００）とを併用する支持システム（図１２４）にも関する。本発明はさらにブラケットシステムおよびブラケットに関する。【選択図】図１２０
2013521076.tif 000002
【特許請求の範囲】
【請求項１】
本体、および支持手段の開口に挿入できる、該本体から離間延長する少なくとも一つのアームまたはフックからなり、前記少なくとも一つのアームまたはフックが、前記支持手段の後面の凹部に受け取られる端部を有すことを特徴とする支持部材。
【請求項２】
前記部材が、構造部材を受け取る凹部を有する請求項１に記載の支持部材。
【請求項３】
前記構造部材が、前記凹部の一部に係合して、解体方向の移動を防止する形成部を有する請求項２に記載の支持部材。
【請求項４】
前記支持部材が、２つのアームまたはフック、前記支持部材の２つの別々な開口にそれぞれ挿通する２つのアームまたはフック、一つのアームまたはフックおよび安定化作用凸部、およびそれぞれ前記支持部材の２つの別々な開口に挿通する一つのアームまたはフックおよび安定化作用凸部を有する請求項１〜３のいずれか１項に記載の支持部材。
【請求項５】
以下の作用の一つ以上を行う手段：前記支持部材上における前記構造部材の位置を固定する作用、前記パネルに対する前記構造部材に取り付けられた物品の位置を固定する作用、および前記支持部材を前記パネルに固定する作用を行う手段を設けた請求項１〜４のいずれか１項に記載の支持部材。
【請求項６】
前記構造部材が、ビーム、ブラケット、家具、キャビネット、化粧キャビネット、カップボード、棚、化粧台、シート、たんすの収納箱、椅子、作業台、建材要素、階段の踏み段、ビーム、および美術芸術品やその他の任意の都合のよい物品のうちの一つのビーム部分、ブラケット部分または他の部分、あるいはこれら物品のうち一つに取り付けられている請求項２〜５のいずれか１項に記載の支持部材。
【請求項７】
前記支持部材が、相互接近し、前記支持手段の開口に挿通できる２つのアームまたはフックを有する請求項１に記載の支持部材。
【請求項８】
さらに、前記アームまたはフックに挿通して、前記アームまたはフックを相互に対して移動させる固定作用部材、第２アームまたはフックが設けられた第２部分に挿入可能な第１部分に設けられ、これら第１部分および第２部分が相互に対して移動できるようになった第１アームまたはフック、相互に旋回する２つのアームまたはフック、ビームなどの構造部材を受け取る管状部分、ブラケットを受け取る支持体、および外側に半径をもつかあるいは湾曲した領域を有する前記少なくとも一つのアームまたはフックのうち一つかそれ以上を有する請求項７に記載の支持部材。
【請求項９】
前記構造部材を移動させるか固定する手段を有し、そして水平方向の移動または固定を行う作用、垂直方向の移動または固定を行う作用、垂直および水平の両方向の移動または固定を行う作用、およびロック作用のうち一つかそれ以上の作用をもつ請求項１〜８のいずれか１項に記載の支持部材。
【請求項１０】
前記少なくとも一つのアームまたはフックおよび/または前記端部が前記凹部の一つかそれ以上の壁に係合し、前記支持部材に加えられる捻じれ力に対抗できるように構成した前記請求項１〜９のいずれか１項に記載の支持部材。
【請求項１１】
前記パネルの前面の凹部またはチャネルに係合する部分を有する前記請求項１〜１０のいずれか１項に記載の支持部材。
【請求項１２】
ほぼ矩形か三角形の、側部プレート、鋳鋼、複合材料、アルミニウム、前記アームまたはフックを形成するシート金属、開放ボックス部分、閉じたボックス部分、および押し出し成形体の一つかそれ以上から形成した前記請求項のいずれか１項に記載の支持部材。
【請求項１３】
前面、後面、これら前面と後面と間においてパネルを貫通する少なくとも一つの開口を備え、前記後面が前記開口に隣接する凹部を有し、該凹部が、側面からみた場合に前記前面と前記後面との間に設けられるベース面を有するパネルである支持手段と併用する請求項１〜１２のいずれか１項に記載の支持部材を有する支持システム。
【請求項１４】
前記ベース面が、前記開口の壁と交差する請求項１３に記載の支持システム。
【請求項１５】
前記開口の一方の側、前記開口の両側、前記開口の対向側部、前記開口の対向側部上の直線上、前記開口を完全に取り囲む位置、および前記開口周囲の円形位置の一つの位置において前記凹部を前記開口に対して設けた請求項１３または１４に記載の支持システム。
【請求項１６】
前記さねはぎを前記対向側壁およびベースをもつチャネル形状に構成した請求項１３〜１５のいずれか１項に記載の支持システム。
【請求項１７】
前記パネルに２つ以上の開口を設けた請求項１３〜１６のいずれか１項に記載の支持システム。
【請求項１８】
前記２つ以上の開口について、前記凹部が少なくとも２つの開口間に延長するさねはぎによって形成されるように構成した請求項１７に記載の支持システム。
【請求項１９】
前記前面が、前記開口の壁と交差しないか、あるいは前記開口の壁と交差する前記少なくとも一つの開口に対応する凹部を有する請求項１３〜１８のいずれか１項に記載の支持システム。
【請求項２０】
前面、後面、これら前面と後面と間において前記パネルを貫通する少なくとも一つの開口を備え、前記後面が前記開口に隣接して凹部を有し、該凹部が、側面からみた場合に前記前面と前記後面との間に設けられるベース面を有することを特徴とする支持パネル。
【請求項２１】
前記ベース面が、前記開口の壁と交差する請求項２０に記載の支持パネル。
【請求項２２】
前記開口の一方の側、前記開口の両側、前記開口の対向側部、前記開口の対向側部上の直線上、前記開口を完全に取り囲む位置、および前記開口周囲の円形位置の一つの位置において前記凹部を前記開口に対して設けた請求項２０または２１に記載の支持パネル。
【請求項２３】
さねはぎの形状に構成された前記凹部を対向側壁およびベースをもつチャネル形状に構成した請求項２０〜２２のいずれか１項に記載の支持パネル。
【請求項２４】
前記パネルに２つ以上の開口を設けた請求項２０〜２３のいずれか１項に記載の支持パネル。
【請求項２５】
ブラケット支持体を受け取る少なくとも一つのスロットおよび該ブラケット支持体に接続されるかあるいは係合可能なブラケットを有する少なくとも一つの支持フランジを有し、前記ブラケットが前記支持フランジおよび/または前記ブラケット支持体から離間延長する、物品を支持することを特徴とするラッキングシステム。
【請求項２６】
組み立て時、前記ブラケット支持体が少なくとも一つの支持フランジに係合してから、前記ブラケットが前記ブラケット支持体に係合する請求項２５に記載のラッキングシステム。
【請求項２７】
前記ブラケット支持体が、ピン手段またはロッド手段である請求項２５または２６に記載のラッキングシステム。
【請求項２８】
前記ブラケット支持体上の離間位置に少なくとも２つのフランジを設けた請求項２５〜２７のいずれか１項に記載のラッキングシステム。
【請求項２９】
前記少なくとも２つのフランジ間において、前記支持ブラケットの長さが前記支持フランジの幅に等しい請求項２８に記載のラッキングシステム。
【請求項３０】
前記少なくとも２つのフランジが、前記ブラケット支持体の端部にある請求項２８または２９に記載のラッキングシステム。
【請求項３１】
前記ブラケットが、前記少なくとも２つのフランジ間において前記ブラケット支持体に係合する請求項３０に記載のラッキングシステム。
【請求項３２】
前記ブラケットが、二股部分を有するか、あるいは少なくとも２つの離間ブラケット部分を有する請求項２５〜３１のいずれか１項に記載のラッキングシステム。
【請求項３３】
前記ブラケットの前記二股部分間または前記少なくとも２つのブラケット部分間の間隙を、前記支持フランジの幅または厚みとほぼ同じ大きさに設定して、これらの間に前記支持フランジを受け取ることができるようにした請求項３２に記載のラッキングシステム。
【請求項３４】
前記ブラケットが、前記ブラケット支持体の周囲を旋回し、そして前記ブラケットの一部が、前記支持フランジが取り付けられ、かつ前記支持フランジが延長する壁手段または支持プレートに係合する請求項２５〜３３のいずれか１項に記載のラッキングシステム。
【請求項３５】
前記ブラケットおよび前記支持フランジおよび/または前記ブラケット支持体が協調して、上記ブラケットに横方向に加えられる力に対して抵抗、あるいは前記ラッキングシステムのベアリング性を与える請求項２５〜３４のいずれか１項に記載のラッキングシステム。
【請求項３６】
前記ラッキングシステムが、共通な支持プレートから延長して一組の支持フランジを形成する特徴、壁手段に取り付けられて一組の支持フランジを形成する特徴、前記一組の支持フランジの一方がスロットを有し、他方がスロットを有しない特徴、前記一組の支持フランジの両方がスロットを有する特徴、前記一組の支持フランジ間の間隙が前記ブラケットの厚みまたは幅にほぼ同じ寸法を有する特徴のうち一つかそれ以上の特徴を備えた２つの支持フランジを有する請求項２５〜３５のいずれか１項に記載のラッキングシステム。
【請求項３７】
前記支持フランジ、および前記ブラケットのうち一つか２つが、前記ラッキングシステムに対して弾性、懸架作用または制動作用を与え、そして前記ブラケット支持体の前記支持フランジおよび/または前記ブラケットへの係合位置を前記ブラケットによって確保するとともに、前記支持フランジから離れている膳記ブラケットの一部において前記ブラケットの形状によって確保するか、前記ブラケットの前記ブラケット支持体への取り付け位置においてかその付近で確保するか、あるいは前記ブラケットに形成するかその一部として形成したバネまたは板バネによって確保する請求項２５〜３６のいずれか１項に記載のラッキングシステム。
【請求項３８】
前記スロットが、入り口経路および端部を有し、前記支持フランジに対する前記ブラケットおよび/または前記ブラケット支持体の移動を制限する請求項２５〜３７のいずれか１項に記載のラッキングシステム。
【請求項３９】
前記入り口経路が、前記ブラケット支持体が下向きに前記端部まで移動できるように傾斜しているか、あるいは前記ブラケット支持体が水平移動してから、前記端部まで下向き移動できるように傾斜しているか、あるいは前記ブラケット支持体が上向き移動してから前記端部まで下向き移動できるように傾斜している請求項３８に記載のラッキングシステム。
【請求項４０】
前記ラッキングシステムが、前記支持フランジを介してか、あるいは前記支持プレートを介して壁手段に固定されている請求項２５〜３９のいずれか１項に記載のラッキングシステム。
【請求項４１】
前記壁手段が、静止壁、およびフレームまたはスタンドの一部のうちいずれかである請求項２５〜４０のいずれか１項に記載のラッキングシステム。
【請求項４２】
前記ブラケット支持体が、前記ブラケットとは別に形成され、前記ブラケットに固定されるか固定可能であるか、前記ブラケットに解放自在に固定されているか、前記ブラケットに一体形成されているか、前記ブラケットの両側から延長しているか、前記ブラケットの２つの部分間に延長しているか、入れ子式のピン手段であるか、前記ブラケットに対して延長可能および/または後退可能であるか、あるいはこれらを組み合わせたものである請求項２５〜４１のいずれか１項に記載のラッキングシステム。
【請求項４３】
前記支持フランジにそって２つ以上のスロットを離間形成した請求項２５〜４２のいずれか１項に記載のラッキングシステム。
【請求項４４】
さらに、少なくとも２組の支持フランジを前記壁手段に相互に離間配置した請求項２５〜４３のいずれか１項に記載のラッキングシステム。
【請求項４５】
前記支持フランジが、可撓性壁部分または十分な弾性をもつ壁部分を有し、前記ブラケットまたは前記ブラケット支持体に係合したときに、前記壁部分に加わる荷重が圧縮されて、荷重を受けたときに前記ブラケットを屈曲させる請求項２５〜４４のいずれか１項に記載のラッキングシステム。
【請求項４６】
支持フランジ同士が、上端部および下端部においてそれぞれの取り付けプレートによって保持される請求項４４に記載のラッキングシステム。
【請求項４７】
ブラケット支持体を受け取る少なくとも一つのスロットを有する少なくとも一つの支持フランジ、および前記ブラケット支持体に接続されるか、係合可能であり、前記ブラケットを前記少なくとも一つの支持フランジに取り付けるブラケットを有する、物品を壁手段に支持するラッキングシステムにおいて、弾性手段、懸架手段または制動手段を有し、前記ブラケットに支持される物品によって前記ブラケットに加わる荷重が、この荷重を静止させる時間が前記ブラケットの時間およびその支持フランジへの剛性取り付け時間よりも長くなるように設定されたことを特徴とするラッキングシステム。
【請求項４８】
少なくとも一つのスロットおよびこのスロットと前記支持フランジの自由端部との間に設けられた少なくとも一つのブラケット支持体を有する少なくとも一つの支持フランジ、および前記ブラケット支持体に接続および/または係合でき、前記ブラケットを前記少なくとも一つの支持フランジに取り付けるブラケットを有する、物品を壁手段に支持するラッキングシステムにおいて、弾性手段、懸架手段または制動手段を有し、前記ブラケットに支持される物品よって前記ブラケットに加わる荷重が、この荷重を静止させる時間が、前記ブラケットの時間および前記支持フランジへの剛性取り付け時間よりも長くなるように設定されたことを特徴とするラッキングシステム。
【請求項４９】
前記支持フランジが少なくとも２つのブラケット支持体を有するか、前記ブラケット支持体が着脱可能であるか、前記ブラケットの後部が、前記支持フランジが取り付けられている後部支持プレートまたは壁と接触するか、前記少なくとも一つのスロットが弾性、または懸架手段または制動手段に寄与するか、前記少なくとも一つのスロットがブラケット支持体を受け取ることができるか、前記ブラケット支持体が前記ダブル支持フランジ間に延長するダブル支持フランジ構成であるか、あるいはブラケット支持体が前記支持フランジまたは複数のフランジに一体形成されているかあるいは永久的に取り付けられているか、あるいはこれらが複数組み合わされている請求項４７または４８に記載のラッキングシステム。
【請求項５０】
少なくとも一つの支持体形成部が、前記ラッキングシステムと協調する壁または壁手段と一体形成されているか、あるいは前記壁または壁手段とは別体として形成され、これらに取り付けることが可能であり、上記少なくとも一つの支持体形成部が、外面を介して少なくとも一つの支持スロットを有し、かつこのスロットの後面と後部パネルまたは上記壁または上記壁手段との間に間隙を有する、壁または壁手段に物品を支持することを特徴とするラッキングシステム。
【請求項５１】
少なくとも一つのブラケットを有し、このブラケットが内部に形成されたブラケットスロットを有し、このブラケットスロットが前記支持スロットに入ることができ、その後部が前記間隙に入り、前記ブラケットスロットの一部を前記支持体形成部の外側に残し、前記ブラケットの前記後部が前記後部パネルまたは前記壁または前記壁手段に係合することによって、前記ブラケットが弾性手段、または懸架手段または制動手段になり、物品によって前記ブラケットに加わる荷重を前記ブラケットで支持でき、この荷重を静止させる時間が、前記ブラケットが剛性を持つ場合よりも長くなるように設定された請求項５０に記載のラッキングシステム。
【請求項５２】
着脱可能な支持手段を有し、該着脱可能な支持手段が、少なくとも一つの支持フランジ、支持プレート、前記壁手段と着脱可能に係合できる支持フック、および少なくとも２面において開口する前記着脱可能な支持手段のスロットを有し、前記少なくとも２面のうち２面が相互に垂直である請求項５０または５１に記載の物品を壁手段に支持するラッキングシステム。
【請求項５３】
前記支持フックが、前記支持体形成部の前記スロットに着脱可能に係合でき、前記支持フックの少なくとも一部が、前記スロットの後面と後部パネルまたは前記壁または前記壁手段との間の間隙に位置する請求項５０または５１に記載の着脱可能な支持手段。
【請求項５４】
前記着脱可能な支持手段が、ブラケットと係合する請求項５０または５３のいずれか１項に記載の着脱可能な支持手段。
【請求項５５】
前記ブラケットがバック荷重ベアリング縁部、上縁部、下縁部、前縁部、および前記バック縁部に近接したブラケット支持体を有し、かつさらに前記の上縁部が凹部を有する少なくとも中央領域を有し、懸架手段が前記凹部間にまたがり、そして前記懸架手段が前記の上縁部にそって前記凹部の中心に近い端部および中心から遠い端部において前記ブラケットに取り付けられている前記請求項１〜５４のいずれか１項に記載のシステムに使用する舟艇を支持するブラケット。
【請求項５６】
前記懸架手段がストラップであり、そして前記凹部に対する入り口における少なくとも一つのスロットを有するか、前記スロットが該スロットより大きい開口に延入し、前記凹部が少なくとも２つのスロットを有するか、前記凹部に対する両入り口の少なくとも一つのスロットが前記ブラケットに延入し、前記スロットより大きい開口まで延長し、前記ストラップが少なくとも一つの端部においてストラップ係合ピンに接続されるか、前記ストラップ係合ピンが前記開口に係合するとともに、前記ブラケットの長さに沿う方向におけるこのピンの移動が前記スロットによって拘束されるか、前記ストラップが前記スロット内に位置するとともに、前記ストラップがストラップ係合ピンに巻き取られて、前記スロットから出るか、前記ストラップ係合ピンが前記開口に係合するとともに、前記ブラケットの長さに沿う方向におけるこのピンの移動が前記スロットによって拘束されるか、前記ストラップが前記スロット内に位置するとともに、前記凹部部分間で長さを調節できるか、前記ストラップの長さが一定であるか、前記ストラップの長さが調節可能であるか、前記ブラケットの前記ストラップを最初に開放して前記ストラップの長さを調節できるようにするロック機構を有するか、あるいは前記ブラケットが取り付けられる支持部材に対して前記ブラケットの角度を調節できるようにするか、あるいはこれらを２つ以上組み合わせた請求項５５に記載の舟艇を支持するブラケット。
【請求項５７】
前記懸架手段が前記ブラケットの上縁部であり、そして前記上縁部が支持すべき舟艇の艇体の輪郭になるか、前記支持部材に係合可能な支持手段を使用して、前記ブラケットが取り付けられる支持部材に対して前記ブラケットの角度を調節できるようにするか、あるいは前記ブラケットにそって異なる長さで開口に係合可能なピンなどの支持手段を使用して、前記ブラケットが取り付けられる支持部材に対して前記ブラケットの角度を調節できるようにするか、あるいはこれらを２つ以上組み合わせた請求項５５に記載のブラケット。
【請求項５８】
前記懸架手段が膨張式ブラダーであり、そして前記ブラダーが前記凹部部分の全長にそって前記ブラケットの前記上縁部に固定されるか、前記ブラダーが前記凹部部分に対する前記入り口における少なくとも一つの点に固定されるか、前記ブラダーが少なくとも一つの端部によってストラップ係合ピンに接続されるか、あるいは前記ストラップ係合ピンが前記開口と係合するともに、前記ブラケットの長さに沿う方向における前記ブラケットの移動を前記スロットによって拘束するか、あるいは前記ストラップが前記スロット内に位置するか、あるいはこれらを２つ以上組み合わせた請求項５５に記載のブラケット。
【発明の詳細な説明】
【技術分野】
【０００１】
本発明は、支持ブラケットをカンチレバー式に支持するラッキングシステム、および壁に取り付けることができるか、あるいは自立式のブラケットに関する。
【背景技術】
【０００２】
以前から、マリーンその他のスポーツ用具に使用するために、あるいは金物類産業、一般的な建築産業やガーデンセンターにおいて保存保管すべき各種物品に対処できるように構成成分の応用自由度および再配置自由度を有するラッキングシステムが必要とされてきている。
【０００３】
本明細書で公知技術に言及する場合、反対の指摘がない限り、このような従来技術が、本出願の優先権主張日において、本発明が関する分野における当業者にとって公知であることを認めるものである。
【発明の概要】
【０００４】
本発明は、本体、およびこの本体から離間延長し、支持手段の開口に挿入できる少なくとも一つのアームまたはフックを有する支持部材であって、この少なくとも一つのアームまたはフックが、支持手段の後面の凹部に受け取られる端部を有する支持部材を提供するものである。
【０００５】
上記支持部材には、構造用部材を受け取る凹部を形成できる。
【０００６】
上記構造用部材は、上記凹部の一部に係合して解体方向への移動を防止する形状に構成できる。
【０００７】
上記支持部材は、２つのアームまたはフック、それぞれ上記支持手段の２つの別々な開口に挿通する２つのアームまたはフック、一つのアームまたはフックおよび安定化作用突出部、およびそれぞれ上記支持手段の２つの別々な開口に挿通する一つのアームまたはフックおよび安定化作用突出部から構成できる。
【０００８】
以下の一つ以上の作用を行う手段を設定できる。即ち、上記構造用部材の上記支持部材における位置を確保する作用、パネルに対して上記構造用部材に取り付けられる物品の位置の確保する作用、および上記パネルに対して上記支持部材を固定する作用である。
【０００９】
上記構造用部材としては、ビーム、ブラケット、および家具、キャビネット、化粧用キャビネット、食器棚、棚、化粧台、シート、タンス一竿、椅子、作業ベンチ、建設資材要素、階段踏み板、ビーム、美術芸術品、電気スイッチ盤、電気キャビネット、ＴＶセット、コンピュータラックまたはその他の適当な物品のうちの一つに取り付けられるビーム、ブラケットまたはその他の部品のうちの一つがある。
【００１０】
上記支持部材は、相互に向かって移動する２つのアームまたはフックを有し、これらアームまたはフックが上記支持手段の開口に挿通できる。
【００１１】
さらに、上記支持部材は、上記アームまたはフックに挿通して、上記アームまたはフックを相互に対して移動させる固定作用部材、第２アームまたはフックが設けられた第２部分に挿入可能な第１部分に設けられ、これら第１部分および第２部分が相互に対して移動できるようになった第１アームまたはフック、相互に旋回する２つのアームまたはフック、ビームなどの構造部材を受け取る管状部分、ブラケットを受け取る支持体、および外側に半径をもつかあるいは湾曲した領域を有する少なくとも一つのアームまたはフックのうち一つかそれ以上を有する。
【００１２】
上記支持部材は、上記構造部材を移動させるか固定する手段を有し、そして水平方向の移動または固定を行う作用、垂直方向の移動または固定を行う作用、垂直および水平の両方向の移動または固定を行う作用、およびロック作用のうち一つかそれ以上の作用を有する。
【００１３】
上記の少なくとも一つのアームまたはフックおよび/または上記端部が上記凹部の一つかそれ以上の壁に係合し、上記支持部材に加えられる捻じれ力に対抗できるように構成する。
【００１４】
上記支持部材は、上記パネルの前面の凹部またはチャネルに係合する部分を有する。
【００１５】
上記支持部材は、ほぼ矩形か三角形の、側部プレート、鋳鋼、複合材料、アルミニウム、上記アームまたはフックを形成するシート金属、開放ボックス部分、閉じたボックス部分、および押し出し成形体の一つかそれ以上から形成する。
【００１６】
上記支持部材および支持パネルは、この支持パネルが、前面、後面、これら前面と後面と間においてパネルを貫通する少なくとも一つの開口を備え、上記後面が上記開口に隣接して凹部を有し、この凹部が、側面からみた場合に上記前面と上記後面との間に設けられるベース面を有するシステムを構成する。
【００１７】
上記ベース面が、上記開口の壁と交差する。
【００１８】
上記開口の一方の側、上記開口の両側、上記開口の対向側部、上記開口の対向側部上の直線上、上記開口を完全に取り囲む位置、および上記開口周囲の円形位置の一つの位置において上記凹部を上記開口に対して設ける。
【００１９】
上記凹部は、対向側壁およびベースをもつチャネル形状に構成したさねはぎ（ｒｅｂａｔｅ）の形を取る。
【００２０】
本発明のパネルは、２つ以上の開口からなるか、配列された２つ以上の開口からなるか、少なくとも２つの開口間に延長するさねはぎによって凹部が形成されるように設けた２つ以上の開口からなるか、前面が開口の壁と交差しないか、あるいは開口の壁と交差する少なくとも一つの開口に対応する凹部を有するか、あるいはこれらの２つ以上を備えるものである。
【００２１】
また、本発明は、前面、後面、これら前面と後面の間においてパネルを貫通して延長する少なくとも一つの開口を備え、上記後面が上記開口に隣接して凹部を有し、この凹部が、側面からみた場合に上記前面と上記後面との間に設けられるベース面を有する支持パネルを提供するものでもある。
【００２２】
上記ベース面が、上記開口の壁と交差する。
【００２３】
上記開口の一方の側、上記開口の両側、上記開口の対向側部、上記開口の対向側部上の直線上、上記開口を完全に取り囲む位置、あるいは上記開口周囲の円形位置の一つの位置において上記凹部を上記開口に対して設けるか、あるいはさねはぎの形状に構成された上記凹部を対向側壁およびベースをもつチャネル形状に構成するか、これらの２つ以上を組み合わせて上記凹部を構成する。
【００２４】
上記パネルが、２つ以上の開口からなるか、配列された２つ以上の開口からなるか、少なくとも２つの開口間に延長するさねはぎによって凹部が形成されるように設けた２つ以上の開口からなるか、前面が開口の壁と交差しないか、あるいは開口の壁と交差する少なくとも一つの開口に対応する凹部を有するか、あるいはこれらの２つ以上を備えるものである。
【００２５】
さらに、本発明はブラケット支持体を受け取る少なくとも一つのスロットおよびこのブラケット支持体に接続されるかあるいは係合可能なブラケットを有する少なくとも一つの支持フランジを有し、上記ブラケットが上記支持フランジおよび/または上記ブラケット支持体から離間延長する、物品を支持するラッキングシステムを提供するものである。
【００２６】
組み立て時、上記ブラケット支持体が少なくとも一つの支持フランジに係合してから、上記ブラケットが上記ブラケット支持体に係合する。
【００２７】
上記ブラケット支持体が、ピン手段またはロッド手段である。
【００２８】
上記ブラケット支持体上の離間位置に少なくとも２つのフランジを設ける。
【００２９】
上記少なくとも２つのフランジ間において、上記ブラケット支持体の長さが上記支持フランジの幅に等しい。
【００３０】
上記少なくとも２つのフランジが、上記ブラケット支持体の端部にある。
【００３１】
上記ブラケットが、上記少なくとも２つのフランジ間において上記ブラケット支持体に係合する。
【００３２】
上記ブラケットが、二股部分を有するか、あるいは少なくとも２つの離間ブラケット部分を有する。
【００３３】
上記ブラケットの上記二股部分間または上記少なくとも２つのブラケット部分間の間隙を、上記支持フランジの幅または厚みとほぼ同じ大きさに設定して、これらの間に上記支持フランジを受け取ることができるようにする。
【００３４】
上記ブラケットが、上記ブラケット支持体の周囲を旋回し、そして上記ブラケットの一部が、上記支持フランジが取り付けられ、かつ上記支持フランジが延長する壁手段または支持プレートに係合する。
【００３５】
上記ブラケットおよび上記支持フランジおよび/または上記ブラケット支持体が協調して、上記ブラケットに横方向に加えられる力に対して抵抗、あるいは上記ラッキングシステムのベアリング性を与える。
【００３６】
上記ラッキングシステムが２つの支持フランジを備え、共通な支持プレートから延長して一組の支持フランジを形成する特徴、壁手段に取り付けられて一組の支持フランジを形成する特徴、上記一組の支持フランジの一方がスロットを有し、他方がスロットを有しない特徴、上記一組の支持フランジの両方がスロットを有する特徴、上記一組の支持フランジ間の間隙が上記ブラケットの厚みまたは幅にほぼ同じ寸法を有する特徴のうち一つかそれ以上の特徴を備える。
【００３７】
上記支持フランジ、および上記ブラケットのうち一つか２つが、上記ラッキングシステムに対して弾性、懸架作用または制動作用を与え、そして上記ブラケットの上記支持フランジおよび/または上記ブラケットへの係合位置を上記ブラケットによって確保するとともに、上記支持フランジから離れている上記ブラケットの一部において上記ブラケットの形状によって確保するか、上記ブラケットの上記ブラケット支持体への取り付け位置においてかその付近で確保するか、あるいは上記ブラケットに形成するかその一部として形成したバネまたは板バネによって確保する。
【００３８】
上記スロットが、入り口経路および端部を有し、上記支持フランジに対する上記ブラケットおよび/または上記ブラケット支持体の移動を制限する。
【００３９】
上記入り口経路が、上記ブラケット支持体が下向きに上記端部まで移動できるように傾斜しているか、あるいは上記ブラケット支持体が水平移動してから、上記端部まで下向き移動できるように傾斜しているか、あるいは上記ブラケット支持体が上向き移動してから上記端部まで下向き移動できるように傾斜している。
【００４０】
上記ラッキングシステムは、上記支持フランジを介してか、あるいは上記支持プレートを介して壁手段に固定する。
【００４１】
上記壁手段は、静止壁、およびフレームまたはスタンドの一部のうちいずれかである。
【００４２】
上記ブラケット支持体が、上記ブラケットとは別に形成され、上記ブラケットに固定されるか固定可能であるか、上記ブラケットに解放自在に固定されているか、上記ブラケットに一体形成されているか、上記ブラケットの一側から延長しているか、上記ブラケットの両側から延長しているか、上記ブラケットの２つの部分間に延長しているか、入れ子式のピン手段であるか、上記ブラケットに対して延長可能および/または後退可能であるか、あるいはこれらを組み合わせたものである。
【００４３】
上記支持フランジにそって２つ以上のスロットを離間形成する。
【００４４】
さらに上記ラッキングシステムでは、少なくとも２組の支持フランジを上記壁手段に相互に離間配置する。
【００４５】
上記支持フランジが、可撓性壁部分または十分な弾性をもつ壁部分を有し、上記ブラケットまたは上記ブラケット支持体に係合したときに、上記壁部分に加わる荷重が圧縮されて、荷重を受けたときに上記ブラケットを屈曲させる。
【００４６】
上記支持フランジ同士が、上端部および下端部においてそれぞれの取り付けプレートによって保持される。
【００４７】
また、本発明は、ブラケット支持体を受け取る少なくとも一つのスロットを有する少なくとも一つの支持フランジ、および上記ブラケット支持体に接続されるか、係合可能であり、上記ブラケットを上記少なくとも一つの支持フランジに取り付けるブラケットを有する、物品を壁手段に支持するラッキングシステムにおいて、弾性手段、懸架手段または制動手段を有し、上記ブラケットに支持される物品よって上記ブラケットに加わる荷重が、この荷重を静止させる時間が、上記ブラケットおよびその支持フランジへの取り付けが剛性取り付けの場合よりも長くなるように設定されたラッキングシステムを提供するものでもある。
【００４８】
同様に、本発明は、少なくとも一つのスロットおよびこのスロットと支持フランジの自由端部との間に設けられた少なくとも一つのブラケット支持体を有する少なくとも一つの支持フランジ、およびこのブラケット支持体に接続および/または係合でき、上記ブラケットを上記少なくとも一つの支持フランジに取り付けるブラケットを有する、物品を壁手段に支持するラッキングシステムにおいて、弾性手段、懸架手段または制動手段を有し、上記ブラケットに支持される物品よって上記ブラケットに加わる荷重が、この荷重を静止させる時間が、上記ブラケットおよびその支持フランジへの取り付けが剛性取り付けの場合よりも長くなるように設定されたラッキングシステムを提供するものでもある。
【００４９】
上記システムの場合、上記支持フランジが少なくとも２つのブラケット支持体を有するか、上記ブラケット支持体が着脱可能であるか、上記ブラケットの後部が、上記支持フランジが取り付けられている後部支持プレートまたは壁手段と接触するか、上記少なくとも一つのスロットが弾性、または懸架手段または制動手段に寄与するか、上記少なくとも一つのスロットがブラケット支持体を受け取ることができるか、上記ブラケット支持体がダブル支持フランジ間に延長するダブル支持フランジ構成であるか、あるいはブラケット支持体が上記支持フランジまたは複数のフランジに一体形成されているかあるいは永久的に取り付けられているか、あるいはこれらが複数組み合わされている。
【００５０】
同様に、本発明は、少なくとも一つの支持体形成部が、ラッキングシステムと協調する壁または壁手段と一体形成されているか、あるいは上記壁または壁手段とは別体として形成され、これらに取り付けることが可能であり、上記少なくとも一つの支持体形成部が、外面を介して少なくとも一つの支持スロットを有し、かつこのスロットの後面と後部パネルまたは上記壁または上記壁手段との間に間隙を有する、壁または壁手段に物品を支持するラッキングシステムを提供するものである。
【００５１】
同様に、本発明は、少なくとも一つのブラケットを有し、このブラケットが内部に形成されたブラケットスロットを有し、このスロットが上記支持スロットに入ることができ、その後部が上記間隙に入り、上記ブラケットスロットの一部を上記支持体形成部の外側に残し、上記ブラケットの上記後部が上記後部パネルまたは上記壁または上記壁手段に係合することによって、上記ブラケットが弾性手段、または懸架手段または制動手段になり、物品によって上記ブラケットに加わる荷重を上記ブラケットで支持でき、この荷重を静止させる時間が、上記ブラケットが剛性を持つ場合よりも長くなるように設定されたラッキングシステムを提供するものである。
【００５２】
本システムの場合、着脱可能な支持手段を有し、この着脱可能な支持手段が、少なくとも一つの支持フランジ、支持プレート、上記壁手段と着脱可能に係合できる支持フック、および少なくとも２面において開口する上記着脱可能な支持手段のスロットを有し、上記少なくとも２面のうち２面が相互に垂直である。
【００５３】
上記支持フックが、上記支持体形成部の上記スロットに着脱可能に係合でき、上記支持フックの少なくとも一部が、上記スロットの後面と後部パネルまたは上記壁または上記壁手段との間の間隙に位置する。
【００５４】
上記着脱可能な支持手段が、ブラケットと係合する。
【００５５】
上記ブラケットがバック荷重ベアリング縁部、上縁部、下縁部、前縁部、および上記バック縁部に近接したブラケット支持体を有し、かつさらに上記の上縁部が凹部を有する少なくとも中央領域を有し、懸架手段が上記凹部間にまたがり、そしてこの懸架手段が上記の上縁部にそって上記凹部の中心に近い端部および中心から遠い端部において上記ブラケットに取り付けられている上記システムに使用する舟艇を支持するブラケットである。
【００５６】
上記懸架手段がストラップであり、そして上記凹部に対する入り口における少なくとも一つのスロットを有するか、上記スロットがこのスロットより大きい開口に延入し、上記凹部が少なくとも２つのスロットを有するか、上記凹部に対する両入り口の少なくとも一つのスロットが上記ブラケットに延入し、上記スロットより大きい開口まで延長し、上記ストラップが少なくとも一つの端部においてストラップ係合ピンに接続されるか、上記ストラップ係合ピンが上記開口に係合するとともに、上記ブラケットの長さに沿う方向におけるこのピンの移動が上記スロットによって拘束されるか、上記ストラップが上記スロット内に位置するとともに、上記ストラップがストラップ係合ピンに巻き取られて、上記スロットから出るか、上記ストラップ係合ピンが上記開口に係合するとともに、上記ブラケットの長さに沿う方向におけるこのピンの移動が上記スロットによって拘束されるか、上記ストラップが上記スロット内に位置するとともに、上記凹部部分間で長さを調節できるか、上記ストラップの長さが一定であるか、上記ストラップの長さが調節可能であるか、上記ブラケットの上記ストラップを最初に開放して上記ストラップの長さを調節できるようにするか、あるいは上記ブラケットが取り付けられる支持部材に対して上記ブラケットの角度を調節できるようにするか、あるいはこれらを２つ以上組み合わせる。
【００５７】
上記懸架手段が上記ブラケットの上縁部であり、そして上記上縁部が支持すべき舟艇の艇体の輪郭になるか、上記支持部材に係合可能な支持手段を使用して、上記ブラケットが取り付けられる支持部材に対して上記ブラケットの角度を調節できるようにするか、あるいは上記ブラケットにそって異なる長さで開口に係合可能なピンなどの支持手段を使用して、上記ブラケットが取り付けられる支持部材に対して上記ブラケットの角度を調節できるようにするか、あるいはこれらを２つ以上組み合わせる。
【００５８】
上記懸架手段が膨張式ブラダーであり、そして上記ブラダーが上記凹部部分の全長にそって上記ブラケットの上記上縁部に固定されるか、上記ブラダーが上記凹部部分に対する上記入り口における少なくとも一つの点に固定されるか、上記ブラダーが少なくとも一つの端部によってストラップ係合ピンに接続されるか、あるいは上記ストラップが上記開口と係合するともに、上記ブラケットの長さに沿う方向における上記ブラケットの移動を上記スロットによって拘束するか、あるいは上記ストラップが上記スロット内に位置するか、あるいはこれらを２つ以上組み合わせる。
【００５９】
以下例示のみを目的として、本発明の実施態様を添付図面について説明する。
【図面の簡単な説明】
【００６０】
【図１】２つの支持フランジ、ブラケット支持スロットおよび二股ブラケットからなるラッキングシステムを示す斜視図である。
【図２】２つの支持フランジ、ブラケット支持スロットおよびブラケットからなるラッキングシステムを示す斜視図である。
【図３】２つの支持フランジからなり、このうちの一つの支持フランジのみがスロットおよびブラケットからなるラッキングシステムを示す斜視図である。
【図４】２つの支持フランジからなり、このうちの一つの支持フランジのみがスロット、ブラケット支持スロットおよびブラケットからなる図３のラッキングシステムを示す反転斜視図である。
【図５】独立した一つの支持フランジ、ブラケット支持スロットおよび二股ブラケットからなるラッキングシステムを示す斜視図である。
【図６】一つのラッキングシステムを示すトップダウン図を示す図で、独立した一つの支持フランジ、二股ブラケットおよびブラケット支持体のディクスフランジを示す。
【図７】一つのラッキングシステムを示すトップダウン図で、２つの支持フランジ、二股ブラケットおよびこの二股ブラケットおよび２つの支持フランジに係合したブラケット支持体を示す図である。
【図８ａ】支持フランジからなる一つのラッキングシステムを示すトップダウン図で、これら支持フランジのうち一つが、ブラインドスロット、ブラケットおよびこのブラケットおよび２つの支持フランジに係合したブラケット支持体からなるラッキングシステムを示す図である。
【図８ｂ】図８ａのラッキングシステムを示すボトムアップ図である。
【図９】各種寸法および係合手段のカンチレバーブラケットを示す側面図である。
【図１０】各種の異なる荷重を支持する各種の独立した一つのブラケット断面形状を示す上面図であり、かつ荷重を支持する各種の複数のブラケット断面形状を示す下面図である。
【図１１】ブラケット支持ディスクフランジを示すブラケットの側面図であり、荷重を受け取ると上記ブラケット内で屈曲する上記ブラケット内の拡張開口を示す図である。
【図１２】ブラケット内の係合手段であって、制動手段を有する係合手段を示す図である。
【図１３−２０】ブラケットの一方の側から延長するブラケット支持体、ブラケットの両側から延長するブラケット支持体、ブラケットの両側から延長し、かつディスクフランジ状端部を有するブラケット支持体、ブラケットの一方の側から延長し、かつディスクフランジ状端部であるブラケット支持体、バネ作用により延長可能なピンであるブラケット支持体、バネロック機構を備えた延長可能なピンを有するブラケット支持体をそれぞれ示すブラケットの平面図である。
【図２１】解放自在なブラケット支持体を示す図である。
【図２２】スロット内に挿入したピンを使用して、支持フランジに係合したブラケットを示す斜視図である。
【図２３】ディスクフランジ状のピンを使用して、支持フランジに係合したブラケットを示す斜視図である。
【図２４−２８】片側に一体形成したブラケット支持体、両側に一体形成したブラケット支持体、ブラケットの両側から延長し、かつロック作用ピン手段を有するブラケット支持体、ブラケットの両側から延長し、かつネジ山を有する着脱可能なブラケット支持体、ブラケットの両側から延長し、かつその内部に一体形成したブラケット支持体をそれぞれ示すブラケットの断面図である。
【図２９】係合手段として複数のスロットを設けた支持フランジを示す図である。
【図２９Ａ】係合手段として複数のスロットを設けた支持フランジを示す図である。
【図３０】係合手段として複数のスロットを設けた支持フランジを示す図である。
【図３１】ブラケットに係合したブラケット支持体を示す正面図である。
【図３２】支持フランジに係合した状態でブラケットに係合したブラケット支持体を示す正面図である。
【図３３】ブラケット支持体およびブラケットに係合した独立した一つの支持フランジを示す斜視図である。
【図３４−３８】水平から垂直に遷移するスロット、角度を付けた状態から垂直に遷移するスロット、２方向に角度を付けたスロット、上向き角度を付けた状態から垂直に遷移するスロット、上向き角度を付けた状態から、垂直から水平に遷移するスロットをそれぞれ示すブラケットの側面図である。
【図３９】支持プレートおよび支持フランジがＬ字形をなすラッキングシステムを示す斜視図である。
【図４０】独立した一つの支持フランジに係合したブラケットを示す斜視図である。
【図４１−４４】ブラケットを示す斜視図である。
【図４５−４８】それぞれスタンドに取り付けたラッキングシステムの一連のブラケット、整列させたブラケットを支柱によって接合した一つのラッキングシステム、整列させたブラケットを支柱によって接合した別なラッキングシステム、スタンドに取り付けたラッキングシステムをそれぞれ示す斜視図である。
【図４９】ブラケット支持体を取り付けたブラケットを示す斜視図である。
【図５０】特にハンガーを吊るすため好適なブラケット構成体を示す斜視図である。
【図５１】図５０のカンチレバーブラケットを示す側面図である。
【図５２】前方支持体を備えた、ラッキングシステム上の図５０のブラケットを示す斜視図である。
【図５３】別な前方支持体を備えた、図５０のブラケットを示す斜視図である。
【図５４】後部支持フランジにカンチレバー式で取り付けたブラケットを示す斜視図である。
【図５５】図５２のラッキングシステムを示す側面図である。
【図５６】図５３のラッキングシステムを示す側面図である
【図５７−５８】２つのアームブラケットを示す斜視図である。
【図５９】図５０〜図５６の改良例を実際に適用したラックを示す図である。
【図６０】図５０のブラケットとは別なブラケット例の一部を示す斜視図である。
【図６１】ブラケット支持体を支持フランジに取り付けるスロットおよび開口を有する独立した一つのフランジを示す斜視図である。
【図６２】図６１の支持フランジを示す側面図である。
【図６３】サーフボートをブラケットに支持し、かつロックする、図６１および図６２の独立した一つの支持フランジと同様なダブル支持フランジを示す斜視図である。
【図６４】図６１および図６２の支持フランジおよびブラケットを示す斜視図である。
【図６５】ブラケット支持体を支持フランジの開口に取り付けた、ダブル支持フランジを示す斜視図である。
【図６６】弾性作用、懸架作用または制動作用をもつ壁または壁プレートおよびブラケットからなるラッキングシステムを示す左側面図である。
【図６７】図６６の一部を示す横断面図である。
【図６８】図６６の壁または壁プレート/ブラケットシステムを示す右側面斜視図である。
【図６９】所定位置に２つ以上のブラケットを備えた、図６６のシステムを示す左側面図である。
【図７０】幅全体にわたって壁または壁プレートを受け取る壁又は壁プレートを示す右側面斜視図である。
【図７１】２つの壁取り付けプレートを使用して、ブラケットを横方向に離間した図６６〜図６９のシステムを示す図である。
【図７２】図６８、図７０および図７１においてブラケット支持体が支持スロットに着脱可能に係合できる、着脱可能な支持手段を示す正面斜視図である。
【図７３】図７２の着脱可能な支持手段を示す後面斜視図である。
【図７４】着脱可能なブラケット支持体に係合できる垂直スロットを備えた、図７２と同様な着脱可能な支持手段の変形例を示す正面斜視図である。
【図７５】図７４の着脱可能な支持手段を示す後面斜視図である。
【図７６】支持手段を受け取る開口、Ｕ字形状の中央部分を備えた上縁部および前縁部における付随的な開口を示す、舟艇支持ブラケットの側面図である。
【図７７】ブラケットの上縁部に係合したストラップ部材、Ｕ字形状の中央部分を備えた上縁部および前縁部の付随的な支持開口を示す舟艇支持ブラケットの側面図である。
【図７８】支持ピンを付加した図７７のブラケットを示す斜視図である。
【図７９】ストラップ支持開口のピンに係合したストラップ部材、Ｕ字形状の中央部分を備えた上縁部および前縁部の付随的な支持開口を示す舟艇支持ブラケットの斜視図である。
【図８０】ストラップのラダーロックおよびストラップ支持開口のピンのキャップを備えた、図４と同様な舟艇支持ブラケットの斜視図である。
【図８１】支持部材に係合した図８０のブラケットを示す斜視図である。
【図８２】ストラップ、ブラケットの前縁部の歯付きカムロック、ストラップ端部のＴロック、Ｕ字形状の中央部分を備えた上縁部および前縁部の付随的な支持開口を示す舟艇支持ブラケットの側面図である。
【図８３】支持ピンを付加した図８２のブラケットを示す斜視図である。
【図８４】ストラップ、ブラケットの上縁部の歯付きカムロック、ストラップ端部のＴロック、Ｕ字形状の中央部分を備えた上縁部および前縁部の付随的な支持開口を示す舟艇支持ブラケットの側面図である。
【図８５】支持ピンを付加した図８４のブラケットを示す斜視図である。
【図８６】ストラップ、ブラケットの前縁部の案内ストップ、ストラップ端部のＴロック、Ｕ字形状の中央部分を備えた上縁部および前縁部の付随的な支持開口を示す舟艇支持ブラケットの側面図である。
【図８７】支持ピンを付加した図８６のブラケットを示す斜視図である。
【図８８】ストラップ、ブラケットの前縁部の案内部材、ストラップを短縮するためにストラップに取り付けた回転シリンダ、歯付き端部、歯付き端部に係合するロッキング部材および前縁部の付随的な支持開口を示す舟艇支持ブラケットの側面図である。
【図８９】図８８のブラケットを示す斜視図である。
【図９０】調節可能なストラップ周囲のラップを示す舟艇支持ブラケットの側面図である。
【図９１】テーパー化ストラップ受け取りスロットを備えた図９０のブラケットを示す図である。
【図９２】ブラケットに一端において固定したブラダー、Ｕ字形状の中央部分を備えた上縁部および前縁部の付随的な支持開口を示す舟艇支持ブラケットを示す図である。
【図９３】弁を備えた着脱可能な減圧式ブラダーおよび前縁部の付随的な支持開口を示す舟艇支持ブラケットを示す図である。
【図９４】弁を備えた着脱可能な減圧式ブラダー、ウェブ付き側部および前縁部の付随的な支持開口を示す舟艇支持ブラケットを示す図である。
【図９５】Ｕ字形状の中央部分に固定したブラダーおよび前縁部の付随的な支持開口を示す舟艇支持ブラケットを示す図である。
【図９６】膨張式ブラダーおよび前縁部の付随的な支持開口を示す舟艇支持ブラケットを示す図である。
【図９７】角度が調節可能な位置決め部材および舟艇の艇体の輪郭に対応する上縁部を有する舟艇を支持するブラケット支持体を示す図である。
【図９８】角度変位のない支持部材に係合した舟艇を支持する角度の付いたブラケット支持体を示す図である。
【図９９】最大角度変位位置に固定した、角度が調節可能なブラケットを示す図である。
【図１００】調節ペグを使用して最少角度変位位置に固定できるが、図９８に示すように、さらに角度を変位できる角度を調節可能なブラケットを示す図である。
【図１０１】角度変位の中間位置に固定した角度が調節可能なブラケットを示す図である。
【図１０２】角度変位がなく、またＵ字形状または側部が３つの凹部中央領域のない舟艇を支持するブラケット支持体を示す図である。
【図１０３】各種の角度位置において舟艇を支持するブラケット支持体を示す図である。
【図１０４】図示のみを目的とする図であって、後部チャネルおよび前部凹部を備え、かつ各種のブラインド凹部を備えた開口付き支持パネルを示す図である。
【図１０５】図１０４の支持パネルの後面を示す部分斜視図である。
【図１０６−１０８】それぞれ図示のみを目的とする斜視図であって、各種後面凹部を備えた支持パネルの後面、前面凹部を備えた支持パネル、および後部チャネルおよび半径をもつ開口壁を備えた支持パネルを示す図である。
【図１０９】すべての開口をアライメントさせた状態で相互に隣接配置した開口付き支持パネルからなるシステムを示す正面図である。
【図１１０−１１６】それぞれ外側に湾曲したハンギングアーム部分を備えたブラケット、ボルトを併用した図１１０のブラケット、ハンギングバーおよびリングを取り付けた図１１１のブラケット、ハンギングバーおよびリングを取り付けた図１１０のブラケット、Ｘ字形状または旋回作用ブラケット、スライディング式でダブルキャップをもつボックス部分支持部材、ビーム支持部材を示す図である。
【図１１６Ａ】別なビーム支持部材を示す斜視図である。
【図１１７−１１８】図１１６で使用するブラケット、図１１６Ａで使用するブラケットを示す図である。
【図１２５】図１１０〜図１１８のブラケットなどを取り付けた状態で天井に固定した開口付きパネルを示す斜視図である。
【図１１９】開口付きパネルに使用するブラケットの側面図である。
【図１１９Ａ】図１１９のシステムを示す正面図である。
【図１２０】現場においてパネルとともに使用する図１１９のシステムを示す斜視図である。
【図１２０Ａ】ブラケットがパネルと係合した図１２０のシステムを示す斜視図である。
【図１２３−１２６Ａ】図１１９のブラケットに部分的に組み付けた物品を示す斜視図、図１２３と同様にして完全に組み付けた物品を示す図、図１１９のブラケットとともにパネルに取り付けたキャビネットからなるシステムを示すワイヤフレーム斜視図、図１２３の側面図および図１２３Ａの側面図である。
【図１２１】図１２０と同様であるが、すぐれたインターロッキング作用および移動抵抗性を与えるように改善したハンギング支持体を示す斜視図である。
【図１２２】図１１９〜図１２１のハンギング支持体の別な形状を示す側面図である。
【図１２２Ａ】図１１９〜図１２１のハンギング支持体の別な形状を示す端面図である。
【図１２７−１３１】それぞれ別なブラケットシステムを示す正面斜視図、ビームを併用したブラケットシステムの正面斜視図、ビームを併用したブラケットシステムの側面図、およびパネルを併用したブラケットシステムの横断面図である。
【図１３２−１３５】それぞれ部分的に組み立てたアートスクリーンを示す斜視図、カンチレバー式階段システムを示す斜視図、２つの支持パネル間の階段システムを示す斜視図、および図１３４の下部を示す斜視図である。
【図１３６】上記図面に示したブラケットなどに取り付けるための２フック式支持体を示すワイヤフレーム斜視図である。
【発明を実施するための形態】
【００６１】
各図面の参照符号について説明すると、終止符の前の符号が図面番号であり、終止符の後の符号が要素の参照符号である。可能な場合には、異なる図面において対応する要素を示すために同じ符号を使用する。
【００６２】
図１および図７に、異なる２種類のブラケット支持体１．００４、１．１１１を備え、かつそれぞれ異なる係合手段１．０１３、１．０１４、１．００４を有する異なる３種類の二股ブラケット１．００３、１．０９５、１．０９６を備えた２つの支持フランジ１．００１を有するラッキングシステムを示す。これら二股ブラケット１．００３、１．０９５、１．０９６はそれぞれ支持フランジ１．００１に係合する仕方が異なっている。これについては、図９を説明するさいにさらに詳しく説明することにする。図５７は、ブラケット１．００３を示す斜視図であり、ブラケットの２本のアームを支柱または接合ピース５７．４５６によって接合する方法を示す図である。
【００６３】
図１に示すように、支持フランジ１．００１は、支持プレート１．０１０に固定された状態で、支持プレート１．０１０から全体として垂直方向に延長し、横断面がΠ形に相似できる構造体を形成する。２つのフランジ１．００１の外面間の間隙１．００２０は、二股ブラケット１．００３、１．０９５および１．０９６のアームの内面間の間隙１．００２１とほぼ同じであるため、それぞれのブラケットの各アームが２つのフランジの外側に位置する。この構成が、使用したブラケット支持体と協調して、ブラケットに作用する横方向力に対するブラケット装置の耐力性を強化する。
【００６４】
図１における上２つのブラケット１．００３および１．０９５は、図２１に示すブラケット支持体１．１１１と同じタイプである。ブラケット支持体１．１１１または２１．１１１は、端部に、この実施態様ではディスク状のフランジ１．０１１を設けたピンまたはロッド形材７．００４、２１．００４を有する。ディスク状フランジ１．０１１、７．０１１、２１．０１１はピン７．００４、２１．００４（図７〜図９で詳しく説明する）に固定するとともに、内部に一体形成されたネジシステムを使用して着脱可能に接続するか、ネジおよび接着剤によってピンに永久固定する。あるいは、その他の適当な手段によって単に接着してもよく、あるいは取り付けてもよい。図７および図２１から理解できるように、ディスク２１．０１１の内面間の垂直距離または間隙２１．０２２は、ブラケット１．００３、１．０９５のアームの外面間の垂直距離または間隙１．００２２とほぼ同じである。この幾何学的構成により、二股ブラケットのアームをブラケット支持体１．１１１から取り外すことができ、ディスクフランジ１．０１１が、ブラケット１．００３および１．０９５に作用する横方向力に対して付加的な補強体として作用する。
【００６５】
ブラケット１．０９６に関しては、ディスクフランジ１．０１１は使用しない。このブラケット構成では、ブラケット１．０９６のアームをブラケット支持体１．００４(図示例ではピン)に固定するか取り付ける必要があり、間隙１．００２０および１．００２１の幾何学的構成と協調して、ブラケット装置が横方向において強くなる。
【００６６】
支持フランジ１．００１の長さまたは高さにそって、好ましくは等間隔に、複数のスロット１．００５を設ける。各スロット１．００５は、支持フランジ１．００１の３つの面、即ち正面および２つの側面に対して開口する。一方、以下に説明する他の実施態様では、スロットがフランジに延設しない場合、スロットは２つの面に開口するが、図３、図４および図８に示すように、フランジがブラインドスロットを有する場合には、正面に、つまり一つの面にのみ開口する。
【００６７】
各スロット１．００５については、正面から延長するスロットについては、水平から下向き角度で下降し、フランジの正面の開口から離間し、そしてほぼ支持フランジ１．００１の中央まで続くようにその形状または断面を設定する。そしてスロット１．００５は、好ましくは半径をもつ形状あるいは半円形であるスロット１．００５の端部に対して垂直方向に下向き方向に進む。これについては、図２２、図２３および図３４〜図３８を参照してより詳しく説明する。
【００６８】
スロット１．００５の寸法については、スロット１．００５が前記のようにスロットの端部で止まるピン部分７．００４、１．００４を受け取る幅を有し、従って１．００３、１．０９５または１．０９６などのブラケットがブラケット支持ピン７．００４、１．００４に係合した後は、ピン７．００４、１．００４によって保持されているブラケットおよび支持プレート１．０１０に係合するブラケット１．００３、１．０９５または１．０９６の下側後角部によってブラケット１．００３、１．０９５または１．０９６が支持フランジ１．００１に対してカンチレバー式で保持されることになるように設定する。
【００６９】
スロット１．００５は切断、パンチングおよび成形などの任意の公知手段によって形成できる。荷重を受けると、ブラケット支持ピン７．００４、１．００４が、取り付け壁または支持プレート１．０１０に向かう方向に発生するブラケット１．００３、１．０９５または１．０９６からの力を支えるとともに、ブラケットの端部に載せられた任意の物質の下向きの質量を支えることになる。従って、ラッキングシステムにおいては、スロットのブラケット支持体および取り付け壁の両者および/またはラッキングシステムが取り付けられている支持プレートが、荷重を支えることになる。
【００７０】
荷重を受けると、ブラケット１．００３、１．０９５または１．０９６が、ブラケット１．００３、１．０９５または１．０９６の下側後角部が取り付け壁または支持プレート１．０１０に係合する時点まで旋回または回転することになる。この旋回作用の結果、ブラケットのエッジが取り付け壁に近接し、ブラケット支持ピン１．００４と協調して、荷重が発生する曲げモーメントを支えることになる。この支持機構については、以下図２２および図２３を参照してより詳しく説明する。
【００７１】
図１に示すように、支持フランジ１．００１は、２つの支持フランジおよび１つの支持プレートからなる。支持フランジ１．００１および支持プレート１．０１０は、木材、金属、プラスチック、ポリマーまたは複合材料から形成できる。また、支持フランジ１．００１および支持プレート１．０１０は、射出成形法、押し出し成形法、ルーチング法、ミリング法などの方法を使用して一体形成できる。別々に形成する場合、溶接法（プラスチックまたは金属）、ルーチング法、接合法、ネジ法、ボルト法、リベット法、接着法などの適当な方法を使用して、支持フランジ１．００１および支持プレート１．０１０を接合固着できる。接合終了後、支持プレート１．０１０を使用して、溶接法、ネジ法、ボルト法、リベット法などの方法を始めとする各種方法でラッキングシステムを壁に固定できる。
【００７２】
ラッキングシステムを取り付ける壁は、ビルなどで見られる固定壁でもよいが、必要ならば、この壁は、ラッキングシステムを取り付ける対象のフレームまたはスタンドの一部でもよい。なお、このようなフレームまたはスタンドの場合、自立式でもよく、動作や再配置を簡単に行える車輪取り付け式でもよい。
【００７３】
別な実施態様では、支持プレート１．０１０を使用せずに、壁、フレームまたはスタンド支持体に直接適当な幅の支持フランジ（複数の場合もある）１．００１を固定できる。この構成では、支持プレート１．０１０と支持する壁またはフレームとの間に、上記のようにして任意の都合のよい固定方法を使用できる。
【００７４】
ブラケット１．００３、１．０９５または１．０９６については、任意の適当な材料から構成でき、最も好適なのは、支持プレート１．０１０または支持フランジ１．００１と同じ材料から構成することであり、構成する場合も任意の都合のよい方法または技術を利用できる。図１のシステムについて例示的な寸法を挙げると、底部幅Ａはほぼ１６０ｍｍ、高さＢはほぼ２，４００ｍｍ、そして支持フランジ１．００１の深さＣは１００ｍｍ程度である。ブラケット１．０９６の長さＤは７５０ｍｍ程度、そしてブラケット端部１．０９６の高さＥは８０ｍｍ程度で、その厚みは２５ｍｍ程度である。
【００７５】
図２および図８に、上記システムと同様なラッキングシステムの変形例を示す。このラッキングシステムの２つの支持フランジ２．００１は、これらの間に独立した一つの、非二股ブラケット２．００６を受け取るにように間をあけて構成する。フランジ２．００１の内面については、フランジ２．００１間に位置するブラケット２．００６の幅または厚み２．００２４にほぼ相当する距離２．００２３をあけて離間配置し、荷重を受けた場合に、あるいは荷重のない場合に、ブラケットに作用する横方向力に対するブラケットの締り嵌めの強化を確保する。
【００７６】
図２および図８の実施態様では、支持フランジ２．００１は支持プレート２．０１０に取り付けるが、上記と同様にして形成および/または接合してもよい。
【００７７】
図２に、２種類のブラケット支持体を示す。即ち、両側にディスクフランジ２．０１１を備えたブラケット支持体２．１１１であり、そしてディスクフランジをもたないブラケット支持体２．００４である。ディスクフランジ２．０１１は、支持フランジ２．００１それぞれの外面に隣接配置する。ブラケット支持体２．１１１は、ディスクフランジ２２．０１１間の距離２１．０２２を小さくした点でブラケット支持体１．１１１と相違する。ディスクフランジ２．０１１を各支持フランジ２．００１の外面に隣接配置すると、ブラケット２．００６が、このブラケット２．００６に作用する横方向力に対して強くなる。
【００７８】
上記したように、ディスクフランジ２．０１１は、ピン２．００４の端部に固定するが、この固定は着脱固定でもよく、永久固定でもよい。ブラケット２．００６は、ディスクフランジ２．０１１間でピン２．００４に係合するが、この係合はピンから着脱できる係合でもよく、所定箇所における固定係合でもよい。
【００７９】
図２に示す２つの下部ブラケット２．００６１は、ブラケット２．００６と同じ構成でよいが、各ブラケット２．００６１はブラケット支持体である独立した一つのピン２．００４を有する。即ち、ピン２．００４はディスクフランジ２．０１１をもたないが、フランジスロット２．００５内に位置を占め続け、それぞれのブラケット２．００６１に固定されている。
【００８０】
図２のブラケット装置は、図１の説明と同じように機能し、ブラケット２．００６、２．００６１に作用する曲げモーメントおよび荷重を支える。図示の構成では、ブラケット２．００６の長さＦは７５０ｍｍ程度、そしてブラケット端部２．００６の高さＥは８０ｍｍ程度、その厚みは２５ｍｍ程度である。
【００８１】
図３、図４、図８ａおよび図８ｂに、２つの支持フランジ３．００１および３．００２を備え、支持体３．００１が支持フランジ１．００１と同じである支持フランジを有するラッキングシステムを示す。なお、第２支持フランジ３．００２はブラインドスロットを有するか、あるいはまったくスロットをもたないかのいずれかである。２つの支持フランジ３．００１および３．００２は、図２の説明と同様に離間配置する。スロット３Ａ．０９８などのブラインドスロットを備えた実施態様では、内面である支持フランジ３Ａ．００２の一面を介してこのブラインドスロットは開口している。スロット３Ａ．０９８の形状については、直線かつ垂直であることが唯一の要件であり、端部３Ａ．０５１はスロット３Ａ．０９８の下部かつ同じ位置にあるか、あるいは図１および図２と同様な形状のスロット３．００５の端部と整列している。
【００８２】
ブラインドスロット３Ａ．０９８を独立した一つのディスクフランジ状ブラケット支持体８Ａ．１１１と併用する場合には、２つの組み立て方法が考えられる。第１の方法の場合、支持フランジ８Ａ．００１に押し通され、かつブラケット８Ａ．００６に押し通されてブラインドスロット８Ａ．０９８に入り込み、ピン８Ａ．００４がそれぞれの支持フランジ８．００２および８．００１においてスロットの端部に位置することになるブラケット支持ピン８Ａ．００４の少なくとも一端に独立した一つのディスクフランジ８Ａ．０１１を有するブラケット支持ピン８Ａ．００４が必要である。
【００８３】
第２の方法の場合、ブラケット支持体８Ａ．１１１をスロット３．００５に押し通し、次にブラインドスロット３Ａ．００５に入り込み、それぞれの支持フランジ３．００１および３．００２のスロットの端部において、支持フランジ３．００１と３．００２の内面間において、ブラケット３．００６をブラケット支持ピン８Ａ．００４に配置する必要がある。
【００８４】
必要ならば、ブラケット支持体８Ａ．１１１とほぼ同様に、ディスクフランジをもたないブラケット支持体を使用できる。このブラケット支持体はブラインドスロット８Ａ．０９８内に、従って支持フランジ８Ａ．００１を介して支持フランジ８Ａ．００２内に入り込むことになる。使用する組み立て方法は、上記第１方法および第２方法のいずれかであればよい。
【００８５】
支持フランジ３．００２にスロットがない構成では、ブラケット支持体３．１１１はブラケット３．００６に固定でき、そしてブラケット支持ピン３．００４がブラケットの一方の側からのみ延長し、支持フランジ３．００１のスロット側から突き抜ける。ブラケット３．００１の面が支持フランジ３．００２の内面に当接し、横方向力に対する抵抗作用を補強する。ブラケット３．００６は、上記のようにフランジ内にある。
【００８６】
支持フランジ３．００１および３．００２およびブラケット３．００６は、前述の実施態様に関して説明したように製造できる。
【００８７】
図４Ａに、支持フランジ４Ａ．００２を示す。この支持フランジのスロット４Ａ．００５は支持フランジ４Ａ．００２の一部に設けられ、支持フランジ４Ａ．００２の２面、即ち支持フランジ４Ａ．００２の内面および正面または表面に開口する。一つのこのような支持フランジ４Ａ．００２を支持フランジ４．００１と併用する場合には、壁や支持プレート４．０１０に組み付けるさいに、鏡像関係にある２つの支持フランジ４Ａ．００２を内面のスロット４Ａ．００４と併用できる。このように構成すると、スロットが外側方向から見えないため、外観がよりスマートなラッキングシステムが得られることになる。２つの面のみを通るスロット４Ａ．００５が過剰な剛性を与えるため、そのままでは弾性が十分なサスペンションシステムにはならず、このためには、後述するような適当な構成のブラケットが必要になる。同じことは、ブラインドスロット３Ａ．００５についてもいえる。
【００８８】
図５および図６に、独立した一つの支持フランジ５．００１からなるラッキングシステムを示す。この支持フランジはそのスロット５．００５に二股ブラケット５．００３に係合するか、あるいはこれによって係合されるフランジ状ブラケット支持体５．１１１またはピン形ブラケット支持体５．００４を受け取る。この独立した一つの支持フランジ５．００１は、支持プレート５．０１０にＴ字形構成で固定する。
【００８９】
ブラケット５．００３は、ブラケット支持体５．１１１のピン部分５．００４を受け取る係合スロット５．０１３を有する。スロット５．０１３は、以下により詳しく説明するように、第２機能をもつ。２機能ディスクフランジ状５．０１１ブラケット支持体５．１１１は、フランジ５．０１１間の間隙を支持フランジ５．００１およびブラケット５．００３の２本のアームの合計厚みにほぼ相当させた状態で使用する。さらに、ブラケット５．００３の２本のアーム間の間隙は、独立した一つの支持フランジ５．００１の厚みとほぼ同じである。
【００９０】
ブラケット支持体５．１１１または５．００４は、他の実施態様の説明と同様にしてブラケット５．００３と協調して動作するため、同じ符号法を適用する。
【００９１】
以上の実施態様の場合、例えばブラケット支持体１．１１１および１．００４については、それぞれのブラケットに対して別体として、あるいは固定するものとして説明したが、必要ならば、各ブラケット支持体は、例えば射出成形やその他の成形法によってブラケットと一体形成してもよく、あるいは複数の支持フランジまたは各支持フランジと一体形成してもよい。
【００９２】
図８Ａに、支持フランジ８Ａ．００１および８Ａ．００２を示す。一方がスロット付きフランジであり、そして他方のフランジに整列ブラインドスロットを有する。なお、ブラインドスロット８．０９８については、図示を容易にするために、一部横断面で示す。ブラケット支持ピン８．００４は一端に一つのディスクフランジ８．０１１を有し、そしてピン８．００４の他端はブラインドスロット８．０９８内に位置する。この構成では、ブラケット支持体８．１１１はブラケットに固定するか、あるいは使用時に荷重が作用した時にブラケット支持体８．１１１がスロットから偶然に外れることがないように支持フランジに固定するのが好ましい。
【００９３】
図８Ｂに、２つの支持フランジ８Ｂ．００１および８Ｂ．０１２を示す。前者にはスロットがあり、後者にはない。ブラケット支持ピン８．００４については、他の実施態様に記載した通りであり、従って同じ参照符号で示す。この構成では、ブラケット支持体はブラケットと一体形成するのが好ましく、ブラケット支持体が荷重力によってスロットから外れることはない。ピン８．００３のないブラケット側は、スロットがなく、かつ内側支持フランジ壁およびブラケット支持体８Ｂ．１１１のピン８Ｂ．００４によって所定位置に保持された支持フランジ８Ｂ．００２の内面に対して位置する。
【００９４】
図９に、ブラケット支持体に係合することができる一連のカンチレバーブラケットを示す。列９．０７４には、ブラケットの壁取り付け面から水平方向に内側に延長してから、端部まで垂直方向に上側に延びるＬ字開口を有するブラケットを示す。この係合手段は、ブラケット支持体のピン部分を開口の垂直部分の端部内に保持するものである。カンチレバーに荷重が作用しても、ブラケット支持体のピンおよび荷重を支える最下部および最後部の縁部９．０６２があるため、ブラケットがブラケット支持体のピンの周りでこれ以上回転することはない。以上説明したように、荷重が曲げモーメントとしてカンチレバーブラケットに作用すると、ブラケットが旋回して、最後部９．０６２およびブラケット支持体のピンに荷重を支える力が加わる。
【００９５】
また、列９．０７４のＬ字開口は、支持フランジのスロットの形状と協調して制動作用をもつとともに、弾性源にもなる。荷重がカンチレバーに作用した時に、ブラケットおよび支持フランジの長さおよび厚みがこの機能を補助する。ブラケット支持体を介して支持フランジに取り付けられたブラケットに荷重が作用すると、開口がピン周囲で閉じ、これによって荷重の力を吸収するとともに、荷重が損傷を受けることがなくなる。なお、これについては、図１１および図１２に関して後で説明する。
【００９６】
列９．０７３に、ブラケットの下部まで下向きに延長してブラケット支持体に係合し、かつこれを受け取り、そしてバネとして作用するか、あるいは制動作用を行うスロットを有するブラケット支持体を備えたカンチレバーブラケットの係合手段を示す。ブラケット支持体のピンが、ブラケット後部にある垂直スロット上部端部に位置することになる。この構成では、ブラケット支持体に係合し、これに荷重が作用した時に、垂直スロットが屈曲し、ピン周囲で閉じ、これによってブラケットが弾性および制動作用をもつことになる。なお、これについては、図１１および図１２に関して後で説明する。
【００９７】
列９．０７５に、ブラケット支持体のピン部分を受け取る３つの開口をブラケットの異なる垂直位置に設けたカンチレバーブラケットを示す。ブラケットのピンが、ブラケットの開口のうち少なくとも一つに貫通している。列９．０７５のブラケットは２つの方法のうち一つで使用できる。一つの方法では、３つの開口のうち一つにブラケット支持体の独立した一つのピンを使用する。制動作用を強くするためには上の開口を使用でき、そして制動作用を弱めるために下の開口を使用できる。
【００９８】
第２の方法では、隣接開口、即ち分離した上下の開口に２つの非ディスク形フランジ状ピンを使用でき、次にこれらを支持フランジのスロット内に設ける。この例では、これら２つのピンが協調して所定の弾性度を確保する。ブラケットに２つ以上の開口を使用する場合には、カンチレバーを所定位置に固定するため、ブラケットの上記のような旋回は起きない。この構成では、荷重作用時の力は開口点において吸収される。カンチレバーの荷重を支える縁部９．０６２を支持プレートまたは支持壁に対して設けた場合には、後壁が力の一部を吸収するが、依然として力の大部分は開口を介してブラケット支持ピンによって吸収される。
【００９９】
列９．０７２に、ブラケットに貫通したブラケット支持体を示す。この実施態様では、ブラケットの荷重を支える縁部９．０６２にきわめて近接した状態でブラケットに独立した一つの開口を形成する。ブラケット支持ピンに係合した開口周囲でカンチレバーが旋回することになり、また力がピンおよび荷重を支える縁部の９．０６２の下縁部によって吸収されることになる。
【０１００】
欄９．０１６〜９．０１９に、即ちより長いカンチレバーを示す９．０１６からより短いカンチレバーを示す９．０１９に、併用できるカンチレバーブラケットの各種長さを示す。これら異なる長さが、異なる弾性度を与える。即ち、より長いブラケットの方が、より短いブラケットよりも荷重下弾性が強くなるか、弾性変形が強くなる。
【０１０１】
図１０に、ブラケット支持体および支持フランジに係合するブラケットの形状において考えられる変形例の一部を示す。本発明ラッキングシステムに使用すべきすべてのカンチレバーブラケットに共通なものは、荷重ベアリング縁部１０．０６２である。この荷重ベアリング縁部は、支持フランジが突出する支持プレートか、あるいは支持壁のいずれかにそって位置する。円形、Ｌ字形または垂直の各種のスロットまたは開口として図１０に示したブラケットの係合スロットまたは係合手段は、この荷重ベアリング縁部にきわめて近接しているため、支持プレートまたは支持壁とブラケットの間を強く支持できる。開口端部中心間の距離、およびフランジおよび支持プレートまたは支持壁のスロット端部間の距離がほぼ同じ程度であるため、荷重下でブラケットが旋回することはない。これら実施例はいずれも、上述したように、および下記に述べるように、ラッキングシステム変形例に適用できる。各種形状が可能なため、サーフボード、サーフスキーやカタマラン艇体などの異なる装置をラッキングシステムに収納できる。なお、この場合上部ブラケットが独立した一つの支持体になり、下部ブラケットが上部の艇体支持体との組み合わせとして２つあるいは３つか４つの支持体になり、その下に角度の付いた、あるいは角度のない釣りざお、ハンギングフックや直線状の支持アームを取り付けるができる。
【０１０２】
ブラケット１０．０２１は、直線状のカンチレバーブラケットであり、フックがブラケットの長さにそって切断形成されているため、２つの以上の支持フランジがラッキングシステムの一部を構成する場合には、フック内部に別々に、あるいはブラケット間に、釣りざお、スキーストックなどを収納できる。
【０１０３】
ブラケット１０．０３０は、下向き角度で延長し、以下に説明するように、荷重作用時に屈曲する係合手段を備えたフックとして作用するブラケットである。より長い垂直開口を形成する長い垂直荷重ベアリング壁があるため、荷重作用時の曲げモーメントが強くなり、より小さな重量の荷重作用時の屈曲が大きくなる。
【０１０４】
ブラケット１０．０２８は、ブラケット１０．０３０の場合と同様に下向き角度のフックブラケットであるが、荷重作用時に制動を行う可撓性係合手段ではなく、ピンブラケット支持体を受け取ることができる円形開口を有する。
【０１０５】
ブラケット１０．０２９は、上記２つのブラケットの場合と同様に下向き角度のフックブラケットであり、制動手段を有するが、制動作用は１０．０３０よりも小さく、屈曲作用を得るためにより強い力が必要であり、垂直開口の長さが短く、１０．３０の場合よりも荷重が同じ場合トルクが小さい。
【０１０６】
ブラケット１０．０３１は、上向き角度をもつブラケットであり、端部を上向きにし、係合開口に垂直開口制動手段を有し、開口を長くして、１０．２９の場合によりもより小さい重量で大きなトルクおよび屈曲作用を確保する。
【０１０７】
ブラケット１０．０２６は、荷重のある物品を係合する湾曲面を備えた直線状のカンチレバーであり、荷重ベアリング縁部付近にピンブラケット支持体を受け取る円形開口を有する。このブラケット１０．０２７は、同様な構成であるが、荷重を所定位置で支持するために直径に比例して長さが短く、曲率半径が大きい。
【０１０８】
ブラケット１０．０２２は、小さな凸部をもつブラケットであり、１０．２９の場合と同様に係合開口に垂直開口制動手段を有する。ブラケット１０．０２３は、小さな凸部をもつ直線状カンチレバーであり、Ｌ字開口係合手段が弾性を確保するか、あるいはこれによって荷重からの力を制動する。この実施例の場合、開口が荷重ベアリング縁部まで延長し、下縁部に最初に力が作用するため、制動するためには、他の実施例の場合よりもより大きな力およびより大きな重量が必要である。ブラケット１０．０２４は、凸部をもつ直線状ブラケットであり、円形開口係合手段が、ブラケット自体の材質に固有な特性に応じた制動特性を確保するものである。一方、ブラケット１０．０２５が１０．２４の場合よりも大きな凸部をもつ直線状ブラケットであり、円形開口が制動特性を小さく抑えている。
【０１０９】
図１０のブラケット例、特にスロットをもつブラケット例も（ブラケット１０．０３１の場合と同様に）スロットよりも上にブラケット支持体のピンを受け取る円形開口を有するため、使用者はいずれかの手段を選択使用できる。このため、上記に説明したようにラッキングシステムに取り付けた場合に、スロットを最大限まで長くでき、従って弾性を確保でき、および/またはブラケット上の物品を制動することができる。
【０１１０】
図１１に、制動特性または弾性特性をもつブラケットの係合スロットまたは係合手段１１．０１３の側面図を示す。ほぼ垂直に整列したスロット１１．０１３の幅は、ブラケットに荷重が作用していない場合、開口した状態にある。ブラケットに荷重がかかり、上記に説明したように、支持フランジ１．００１のスロット１１．０１３の上部およびスロット１．００５内に位置するピン１１．００４と、支持フランジ１．００１が取り付けられている支持プレート１．０１０または支持壁が、この例では後舌状部１１．００８において（１１．０６２の引き出し線が示す位置付近で）後縁部１１．０６２１の最後方部分に係合、即ち当接する。この点で、ブラケットがこれ以上回転することはなく、角部即ち縁部１１．０５３がスロット１１．０１３の反対側で縁部１１．０５２に接近し、ピン１１．００４の周囲で屈曲し、曲げモーメントがブラケットに作用するため間隙１１．０１３が閉じる。弾性および/または制動作用を発生するために、ブラケットの背面１１．０６２は支持フランジ１．００１が突出する支持プレート１．０１０または取り付け壁に近接している必要がある。このように構成すると、荷重ベアリング後縁部１１．０６２の下縁部１１．０６２１が支持プレートまたは支持壁に係合できるため、間隙が閉じることになる。この実施態様を示す図１１には、ピン１１．００４を備えた別な着脱式ブラケット支持体１１．１１１が図示されている。ブラケット支持体にディスクフランジ状端部を使用する場合には、支持フランジの３面に開口するスロットを備えた支持フランジが好ましい。
【０１１１】
図１１の構成では、ピン受け取り開口１１．０４１をスロット１１．０１３の上端部よりも上に配置しているため、使用者は、支持フランジに対するブラケットの静止角度を変更すると同時に、弾性および制動作用を強くすることを選択でき、この場合ピン１１．００４をスロット１１．０１３に設ける必要はない。支持フランジに対するブラケットの静止角度を変更する必要がある場合、開口１１．０４１をブラケット端部上の異なる位置に配置するとよい。
【０１１２】
図１２に、図１１と同様なブラケット端部を示す。この実施例では、ディスクフランジなしでピン１２．００４を使用し、このピンをブラインドスロットか貫通スロットのいずれかに延入する。図１１および図１２のブラケットに使用する寸法については、長さＧは１６０ｍｍ程度、高さＨは２１５ｍｍ程度に設定し、ブラケット高さＪは１００ｍｍ程度に設定する。また、スロット１２．０１３の幅は２３ｍｍ程度、ピン１２．００４の半径は１１ｍｍ程度に設定する。
【０１１３】
図１３に、ブラケットの一方の側から突出するブラケット内部にブラケット支持体１３．０３２を一体形成したブラケットのトップダウン図を示す。図１３のブラケットの場合、２フランジ式の支持フランジが必要であり、図３、図４、図８Ａおよび図８Ｂについて説明したように、これを支持フランジの内面間に嵌める。ブラケット支持体が係合するスロットは、フランジ面に対して正方形である必要はなく、円形でもよく、あるいは不規則形状でもブラケット支持体を支えられる。フランジ間の距離は、ほぼブラケットの幅と同じでなければならない。
【０１１４】
図１４に、ブラケット支持体をブラケット内部に一体形成するとともに、ブラケットの両側から延長したブラケットのトップダウン図を示す。この実施態様では、２つのスロット付きフランジが必要であり、ブラケットをフランジ間に設ける。この実施態様では、フランジのスロットは、図１３のように正方形である必要はない。
【０１１５】
図１３および図１４の実施態様では、支持フランジにブラインドスロットを使用でき、隣接支持フランジ間の可撓性によってフランジをこじ開けることができるため、ブラケット支持体１３．０３２および１４．０３２をテーパー形状、半円形または円錐形にでき、ブラインドスロットに通すことができる。また、これら実施態様では、ブラインド“スロット”を円形凹部などの細長くない離散的なブラインド凹部として使用できる。
【０１１６】
図１５は、正方形または円筒形のブラケット支持体１５．０３４を、一方の側から延長したブラケットと一体形成したブラケットを示す平面図である。この実施態様では、図１３の場合と同様に、２つのフランジを備えた支持フランジが必要である。支持フランジ間の距離は、ほぼブラケットの幅と同じであることが好ましい。
【０１１７】
図１６は、一対の対向ブラケット支持体１６．０３４を、ブラケットの２つの対向面から延長したブラケットと一体形成したブラケットを示す平面図である。ブラケットはフランジ間に介在し、そしてブラケット支持体が、図１４の場合と同様に、隣接スロットに係合する。
【０１１８】
図１７および図１８は、ブラケット支持体１７．０３６および１８．０３６を一体形成したブラケットを示す平面図であり、この点は、図１５および図１６の場合と同様であるが、ディスクフランジ１７．０１１および１８．０１１もブラケットに一体形成した点は異なる。
【０１１９】
図１９は、ブラケット支持体をブラケットと一体形成するか、ブラケットとは別体として形成しこれに取り付け、ブラケット支持体をブラケットの両側に設けたブラケットを示す平面図である。ブラケット支持体１９．０３８は、入れ子式のバイアスをかけたピン１９．０３９であり、ピン１９．０３９の繰り出し可能な部分の外周は、ピン１９．０３８の固定部分１９．０３９１の内周内部にあり、圧縮バネ１９．０３２を調節して、移動可能な部分１９．０３９を外側方向に移動させるバイアス力を発生する。静止位置にある時、ピンがバネ１９．０３９２により繰り出し、膨張し、ピンが押し出される。図１９のブラケットは、ブラインドスロットとともに、およびオープンスロットとともに使用できるだけでなく、スロットを有する２つの支持フランジのうち一つとともに、および両者とともに使用できる。繰り出し可能なピンを圧縮すると、ブラケット支持体がブラインドスロットに嵌り込む。圧縮位置にある時、２つの繰り出し可能なピン間の距離は、ブラケットの側壁と平行な２つのブラインドスロットの内壁間の距離内にある。繰り出し可能なピンの繰り出し距離は、ブラインドスロットが開口する面間の距離よりも大きい。以上の点を除けば、ブラケットは上記した場合と同様に、支持フランジ内に位置する。この構成の場合、フランジが３つの面に開口するスロットからなる２つのフランジからなる支持フランジにも使用できる。
【０１２０】
図２０は、図１９と同様なブラケット支持体を有するブラケットを示す平面図である。なお、繰り出し可能なピン２．０３９の繰り出しは、外部ボタン２０．０４０および内部ピン２０．０４９を使用して制御される内部バネロック２０．０５１によって制御する。ボタン機構を押すと、内部ピンが繰り出し可能なピンに延入し、板バネを移動させるため、主バネが繰り出し可能なピンを繰り出す。板バネおよび内部ピンによって、繰り出し可能なピンを繰り出し位置および繰り込み位置にロックできる。ブラケット支持体が支持フランジに係合するためには、繰り出し可能なピンを繰り込んで、図１９の場合と同様に、ブラインドスロットに嵌合する必要がある。
【０１２１】
図２１は、ピン２１．００４およびディスクフランジ２１．０１１を有するブラケット支持システムを示す図である。このピンはディスクフランジ状で、２つのディスクフランジ間に、ブラケットおよび支持フランジを受け取る間隙２１．０２２を残している。上記図面は、ディスクフランジ状ブラケット支持体を使用する例を示すものである。この構成では、ディスクフランジはピンに固定するが、着脱自在である。ピン２１．００４の半径は１１ｍｍ程度、そしてフランジ２１．０１１の半径は３５ｍｍ程度に設定する。
【０１２２】
図２２は、支持フランジ２２．００１のスロット２２．００５の端部に位置するディスクフランジ２２．０１１間にピンを有するブラケット支持体２２．１１１に係合したブラケット２２．００６を備えた支持フランジの部分の詳細な斜視図である。図示のように、ブラケット２２．０６を２つの支持フランジ２２．００１または独立した一つの支持フランジ２２．００１で保持することができ、２つのディスクフランジは横方向移動を制限する作用をもつ。スロット２２．００５の開口２２．０５７にピンを挿入する。次に、このピンは傾斜の付いたスロット部分２２．０５８（水平から下向き傾斜）にそって進み、スロットの垂直部分２２．０５９を下に進み、スロットの半径または半円形端部２２．０６０に位置する。同様な実施態様について説明したように、ブラケットを取り付け、所定位置に保持するので、同じ符号を付してある。
【０１２３】
図２３に、支持フランジ内のスロット２３．００５に係合した非ディスクフランジ状ブラケット支持体２３．００４に係合したブラケット２２．００６を示す。非ディスクフランジ状ブラケット支持体２３．００４は、前記の同様な実施態様の説明と同様に動作するため、同じ符号を付してある。図２３のシステムの寸法については、スロット２３．００５の幅は２３ｍｍ程度、ピン２３．００４の半径はほぼ１１ｍｍ、そして支持フランジの厚みＬは１８ｍｍ程度に設定する。
【０１２４】
図２４に、ブラケット２４．０６内に一体形成されたディスクフランジ状ピンブラケット支持体２４．０４１を有するブラケット２４．００６を示す。このブラケット支持体は、ブラケットの一面のみから延長する。ブラケットは、独立した一つのフランジ支持体の３面に開口するスロットによって支持でき、ディスクフランジ状端部の側にあるブラケットの面が、フランジに近接し、横方向移動を制限することになる。あるいは、このブラケットおよびブラケット支持体は、同様な実施態様の説明と同様な方法で２つのフランジからなる支持フランジに使用できる。ブラケット支持体を独立した一つのフランジ支持体に挿入した場合、ブラケット支持体は、フランジの一方の側に位置するディスクフランジに係合し、ブラケットはフランジの他方の側に位置できる。
【０１２５】
図２５に、ブラケット２５．００６およびブラケット支持手段を示す。このブラケット支持体２４．０４４の一端がディスクフランジ状で、ブラケット支持体の他端が、図３、図４および図８Ａの説明と同様にピンである。ブラケット内にブラケット支持体２４．０４４を一体形成し、支持フランジに係合したさいのブラケット支持体の横方向移動を制限する。このブラケット支持体は、図５のように独立した一つのフランジを有するか、あるいは２つのフランジを有する支持フランジに係合できる。これら２つのフランジは、図１および図２のようにスロットを有する。あるいは、このブラケット支持体は、図３および図４の場合と同様なブラインドスロットおよび開口スロットを有する支持フランジに係合できる。
【０１２６】
図２６に、バネ動作のロッキングピン手段２６．０６５を備えた、図２５の場合と同様なブラケット２６．００６およびブラケット支持体２６．０４２を示す。ブラケット支持体は、バネ式ピンを使用して、ブラケットから着脱できる。このバネ式ピンは、静止位置において繰り出されたバネに着座するピンである。ブラケット支持体は、２つのフランジを有する支持フランジに係合でき、一方のフランジは開口スロットを備え、そして他方のフランジは、バネ式ピンを受け取るブラケットに接触するフランジ側に垂直な壁に開口するブラインドスロットを有する。バネ式ピンは、力が作用すると後退してから、開口内のスロットに入り込み、スロットの開口に整列したさいに繰り出される。一つの例では、ピンは一方向にあり、この方向に力が作用すると、バネが圧縮し、ブラケット支持体が外れる。別な構成では、ブラケット支持ピン内の板バネに接続されたボタンを使用して、ピンを解放する。
【０１２７】
図２７に、図２６と同様なブラケット２７．００６およびブラケット支持体２７．０４３を示す。このブラケット支持体は、バネ式ピンではなく、支持フランジのフランジにブラケット支持体を固定するねじ山を形成した端部２７．０６７を有する。ブラケット支持体は、ブラケットから着脱自在で、ブラケットの一方の側から延長したディスクフランジ状端部およびブラケットの他方の側から延長したねじ山を形成したネジ端部を有する。この実施態様では、ブラケット支持体は、一方のフランジはブラケット支持体のディスクフランジ状端側部のディスクフランジ状端部を受け取る上記のようなスロットを有し、そして他方のフランジはブラケット支持体のねじ山を形成したネジ端部を受け取るねじ山を形成した孔を有する２つのフランジを有する支持フランジに係合できる。
【０１２８】
図２８に、ブラケット支持体がブラケットの両側に延設したピンであるブラケット２８．００６およびブラケット支持体２８．０４５を示す。他の同様な実施態様の説明と同様にブラケット支持体が動作するので、同じ参照符号を付す。
【０１２９】
図２９、図２９Ａおよび図３０の支持フランジは、同様な実施態様の説明と同様に複数のスロットを有する。スロットの個数、スロット間距離、支持フランジの深さおよびスロット長さを変更すると、これらカンチレバー作用壁部分２９/２９Ａ/３０．０７１の弾性を必要に応じて、あるいは目的に応じて設定できる。
【０１３０】
図３１に、ブラケット支持ピン３１．００４およびディスクフランジ３１．０１１を示す。これらディスクフランジは、ピン３１．００４の端部には設けない。図３１に示すように、ブラケット支持体は、上述の実施態様と同様に二股ブラケット３１．００３に係合する。二股ブラケットの内面に隣接して、ディスクフランジ３１．０１１がピンの直径の周囲に位置する。ピン３１．００４は、上記と同様に、ブラインドスロットかあるいは２つのフランジの３つの面に開口するスロットのいずれかの内部に位置し、内部ディスクフランジが、ブラケットによる横方向移動を制限する。ディスクフランジはピンに固定し、そして二股アームはブラケット支持体から着脱可能である。あるいは、ブラケット支持体は上記にように独立した一つのフランジ状支持フランジ内部に位置し、ディスクフランジがフランジ側部とブラケット側部との間においてスペーサーとして作用する。
【０１３１】
図３２に、支持フランジ３２．００２に係合した図３１のブラケット３２．００３、ブラケット支持ピン３２．００４およびディスクフランジ３２．０１１からなるシステムを示す図である。ブラケット支持ピン３２．００４の直径周囲のディスクフランジ３２．０１１が、クリアランスを可能にする間隙を支持フランジ３２．００２と二股ブラケットアーム３２．００３との間に形成する。さらに、ディスクフランジ３２．０１１とフランジ３２．００２との間に間隙３３．０７７があるため、環境条件下ブラケット、ブラケット支持体およびフランジの材料が膨張収縮する。ブラケット支持体はスロット開口３２．０５７に入り込み、上記のようにスロット端部に位置する。
【０１３２】
図３３に、図３２の支持フランジ３３．００２のフランジに係合したブラケット３３．００３およびブラケット支持ピン３３．００４からなるシステムを示す。ブラケット支持ピン３３．００４は、ブラケットの外面を超えて延長している。ブラケット支持体３３．００４は、上述の実施態様の説明と同様に、支持フランジ３３．００２のスロット３３．００５に係合する。ブラケット支持体はブラケットに固定し、そしてブラケットとフランジとの間に間隙３３．０７７がある。
【０１３３】
図３４〜図３８に、以上説明してきた実施態様に使用できるいくつかの他のスロット形状を示す。図３４の支持フランジ３４．００２は支持フランジにスロットを有し、このスロットは水平方向３４．０８３に延長してから、垂直方向３４．０５９にそって、ブラケット支持ピンが位置できる端部まで延長する。図３５の支持フランジ３５．００２のスロットは水平方向３５．０５９から下向きに延長し、垂直方向３５．０５９にそって、荷重下ブラケットともにブラケット支持ピンが位置する端部まで下向きに延長する。
【０１３４】
図３６の支持フランジ３６．００２は、垂直方向からほぼ４５度の角度３６．０８６で下向きに延長するスロット３６．０８４を有する。このスロットは、次にほぼ９０度の角度３６．０８６でスロットがもともとは３６．０８５において開口した面に向かって垂直成分および水平成分をもって下向きに延長する。
【０１３５】
図３７の支持フランジは、開口からほぼ４５度の角度で水平方向３７．０８９から上向きに垂直方向３７．８０８２に延長し、次に垂直方向３７．０５９に下にブラケット支持体が静止する端部まで延長するスロットを有する。図３８の支持フランジは、水平方向３８．０９０から上にほぼ４５度の角度３８．０９３で延長し、次に垂直方向３８．０５９に下に延長し、スロットが支持フランジに入り込む面に向けて水平方向３８．０９４に折り返すスロットを有する。
【０１３６】
図３７および図３８の実施態様の場合、図示の角部は鋭角になっているが、実際には半径をもつように形成するか、丸めてもよく、応力破断を最小限に抑えることができる。図３４〜図３８に示した実施態様はいずれもカンチレバー作用壁部は形状が異なり、結果として弾性量または制動作用量が異なる。図３４〜図３８の各スロットは、支持フランジに切断、パンチング、プレフォーミング、押し出し成形などで形成すればよい。
【０１３７】
図３９に、支持フランジ３９．００１および支持プレート３９．０１０をＬ字接続したラッキングシステム要素を示す。支持フランジ３９．００１および支持プレート３９．０１０は、他の支持フランジまたは支持プレートについて既に説明した同じ方法で一体形成してもよく、あるいは後で固定してもよく、同じ材料で構成すればよい。スロットは、既に説明した同じ方法で形成し、そして支持フランジが一つのフランジを有する場合には、既述のようにブラケット支持体およびブラケットと相互作用する。
【０１３８】
図４０に、支持フランジ４０．００１を壁、フレームまたはスタンドに直接接続できる点を除けば、このフランジが上述の説明と同様にブラケット支持体およびブラケットと相互作用できる十分な厚みを支持フランジ４０．００１に設定したラッキングシステム要素を示す。支持フランジ４０．００１は溶接、接着、リベット法などの任意の都合のよい方法で壁に接合してもよく、あるいは直接またはハンギングブラケットなどを介してネジ止めしてもよい。必要な固定量については、ブラケットが荷重下“回転”する場合に支持フランジ４０．００１が相対的に移動して支持壁から離れることがなくなるように設定すればよい。
【０１３９】
図４１に、曲率半径がブラケットの荷重部分に存在するカンチレバー連続ブラケット４１．０２７を示す。この曲率半径はブラケットの長さに対して大きい。ブラケットのピン４１．００４については、ネジシステムによってブラケットに着脱自在に接続することができるか、ピンに対してねじおよび接着剤によって一体形成するか永久固定するか、あるいはその他の都合のよい手段によって単に接着するか取り付けることができるブラケットの荷重ベアリング縁部付近に設ける。図４１に示すピンはブラケットの一方の側のみから延長するが、ブラケットの両側に開口した開口があるため、既に説明したように、ピンをブラケットの両側から延長できる。また、ピンをブラケットの両側にも設けてもよい。
【０１４０】
図４２に、ブラケット１０．０２２と同様な連続カンチレバーブラケット４２．０９４を示し、同様に機能する。このブラケットは、図１１および図１２について既に説明したように、ブラケット支持体に係合した時に、荷重が、垂直スロットが屈曲できるブラケットに作用する。
【０１４１】
図４３に、ブラケット１０．０２３と同様であり、Ｌ字開口４３．０１４が支持フランジのスロットの形状と協調して制動作用を与えるとともに、図１１および図１２について説明したように、弾性源になる連続カンチレバーブラケット４３．０９５を示す。
【０１４２】
図４４に、図４１の場合と同じ方向にブラケットの側部からピンを延長した連続カンチレバーブラケットを示す。このピンは、図４１の場合よりもブラケットの荷重ベアリング縁部よりも低い位置にある。このため、小さな曲げモーメントがブラケットおよび荷重ベアリング縁部によって支えられている間、ブラケットに対する荷重ベアリング縁部からの支持作用は小さくなる。
【０１４３】
図４５に、既に説明したラッキング機構と同じラッキング機構を備えた自立式ラッキングシステムを示す。２組の２つのフランジ４５．００１は、連続的に設けるとともに、支持フレーム４５．１０２に取り付ける。支持フレーム４５．１０２はＴ字形状であり、Ｔの上部がラッキングシステムを地面に取り付ける。側部支持フレームは、支持フランジの外側に位置し、溶接（プラスチックまたは金属）、ルーチング/接合、ネジ止め、ボルト法、リベット法、接着やその他の任意の都合のよい各種方法を使用してフランジに固定する。側部支持フレームは、逆方向を向いた２つの支持フランジに接合でき、同じ側部支持フレームから複数の方向に作用する荷重を支持できる。図４５に示すように、２つのフランジからなる支持フランジを使用する場合、２つの側部支持フレームを支持フランジの両側に設けることができ、ラッキングシステムに支持およびバランスを地面に与えることができる。既に説明したように支持フランジが一つのフランジからなる場合には、さらに支持フレームの下において地面にそって延長する側部支持フレームを使用して、バランスを取り、横方向の支持を確保できる。
【０１４４】
図４６に、既に図３９で説明した２つのＬ字形支持フランジを有し、ハンギング手段を与える支持フランジのブラケット間を接続する支柱４６．１９８を使用するラッキングシステムを示す。支持フランジは、図示のようにＬ字形であるが、既述の任意の支持フランジを使用することもできる。また、支持フランジは、ブラケット支持体４６．０１１、係合手段４６．０１３、４６．０１４およびスロット４６．００５を有する。支持フランジは、既に説明した同じ方法で壁またはフランジに取り付けられる。支持フランジは、支柱４６．１９８の長さと同じ距離、離間している。支持ブラケット４６．１２０は、平らな形状か、円筒形を含む任意の形状の支柱として図示されている支柱４６．１９８を使用して接合する。一つの構成では、最初に支柱を、支持フランジを離間する所定距離に設定した状態で、ブラケットを形成する。別な構成では、ブラケットを支柱とは無関係に独立して構成、組み立て後に両者を接合する。この構成例では、支柱の長さを支持フランジ間の目的の距離に合わせ、支柱をセグメント化してこれを短縮するか延長化し、あるいは支柱を切断してもよい。既に説明した方法で、支柱およびブラケットを接合できる。
【０１４５】
図４７に、ハンギング手段になる支持フランジ間を接続するブラケットシステムを使用した、図１の説明と同様に、少なくとも２つのΠ形支持フランジ４７．００１を備えたラッキングシステムを示す。図示のように、支持フランジはΠ形であるが、既に説明した任意の形状の支持フランジでもよく、また、ブラケット支持体４７．０１１、係合手段およびスロット４７．００５を含む。支持フランジは、既に説明した同じ方法で壁またはフランジに取り付ける。支持フランジは、支柱４７．１０７の長さと同じ距離、離間している。図示のように、支持ブラケット４７．０２８は、下向き延長してから上向きに延長するフックであるが、既に説明した任意の形状であればよい。これらフランジは、図示のように円筒形の支柱４６．０９８を使用して接合するが、任意の横断面形状の支柱も使用できる。一つの構成では、最初に支柱を、支持フランジを離間する所定距離に設定した状態で、ブラケットを形成する。別な構成では、ブラケットを支柱とは無関係に独立して構成、組み立て後に両者を接合する。この構成例では、支柱の長さは、図４６の説明と同様にして調節できる。
【０１４６】
図４８に、固定壁４８．１２５および下部プレート部分によって接続した少なくとも２つの支持フランジ４８．００１を有する自立ラッキングシステムを示す。固定壁は、支持プレートに関して説明した同じ方法でフランジ４８．００１に接続する。下部プレートは固定壁と支持フランジの両方に接続する。既に説明した方法のうち一つを使用して、３つの構成成分を形成できる。ブラケット４８．００６は、既に説明した同じ方法でブラケット支持体４８．１１１に接続し、既に説明したラッキング構成と同じ方法でスロット４８．００５に位置させる。固定壁および下部プレートは、横方向に接近する力によって支持フランジを補強する。固定壁に孔４８．１０１を開けておくと、取り扱い時のアクセスがよくなり、固定壁またはラッキングシステムの輸送が簡単になる。これら孔は、切断、パンチングまたは成形によって固定壁に形成できる。あるいは、固定壁は、支持フランジ間に嵌めた一体壁でもよく、形状も任意である。
【０１４７】
図４９に、２つのピンをブラケットの両側から延長し、以上説明してきた実施態様において既に説明したブラケット支持体にディスクフランジを使用したブラケット４９．０９６を示す。
【０１４８】
図５０および図５１に、ブラケット後部から下向きに延長する延設部材５０．１０６を有する２つのブラケット５０．１２２を備えたブラケット装置を示す。延設部材５０．１０６は支柱５０．１０７によって接合する。各延設部材５０．１０６は、衣類ハンガーのフックを受け取る複数のノッチを有する。ブラケット５０．１２２の後部は２つのブラケット支持体受け取り手段、即ち一つは図１１および図１２に関して説明したように下向きに延長するスロットであり、そしてもう一つは他のラッキングシステム構成に関して説明したようにピンを使用することができる円形開口５０．０６２である。２つのブラケットは、上記の下向きに延長する延設部材の端部で接合されているため、買い物客が延設部材５０．１０６から衣類を取り外している間、客が好む衣類またはウェットトスーツを支柱５０．１０７に掛けておくことができる。各ブラケット５０．１２２は、既に説明したように、それぞれの支持フランジに支持できる。
【０１４９】
図５２および図５５に、図５０および図５１で説明したブラケット５２．１０６がそれぞれの後部支持フランジ５２．００２に係合し、支柱５２．１０７をノッチ付きの垂直部材５２．１０８によって保持するラッキングシステムを示す。さらに、下向きに傾斜したブラケットアーム５２．１１０の端部において２つのブラケット間に接続された支柱５２．１０７を、ノッチ付きの垂直部材５２．１０８によって正面に支持する。この支柱は、ブラケット支持体の端部間において垂直部材の長さにそってノッチに位置する。このラッキングシステムを自立式にするために、接続プレートによって支持フランジの上部とノッチ付きの垂直部材５２．１０８の上部を接続する必要がある。下端部については、地面にドリルによって形成した開口に挿入することが可能であるが、支持フランジおよびノッチ付き垂直部材の下部を下部接続プレートによって相互接続するのが好ましい。この接続プレートとしては、上部全体を占め、かつこれとは別に支持部材およびノッチ付き垂直支持体全体を示すプレートでもよい。ブラケット支持体は、図５０および図５１で説明した２つの係合手段のうち一つによってスロット５２．００５に係合する。
【０１５０】
図５３および図５６に、図５２および図５５に関して説明したラッキングシステムと同様なラッキングシステムを示す。なお、ノッチ付き垂直部材５２．１０８の代わりに、図４０に関連して説明した独立した一つのスロット付き支持フランジ５３．００２を使用する。この構成では、支柱５３．１０７はノッチではなくフランジ内のスロットに位置するため、支持作用が潜在的により確実になる。
【０１５１】
図５４に、図５２および図５３の場合と同様な壁またはフレーム取り付け式ラッキングシステムを示す。なお、ブラケットの支柱端部はカンチレバー作用で支持し、中間的に支持するものではない。
【０１５２】
図５７および図５８に、既に説明した二股ブラケットと同様な二股ブラケットを示す。なお、中心から遠い端部においてブラケットアーム間に補強クロス支持体５７．４５６および５８．４５６を設けて支持作用を補強する。
【０１５３】
図５９に、図５２および図５５の特徴を備えたラッキングシステムを示し、図５２および図５５のラッキングシステムを形成するための別な構成例を示す。図５９の実施態様の機能は、図５２および図５５の場合と同じであるが、ラッキングシステムを取り付ける壁に長く延長した“飛び控え（ｆｌｙｉｎｇ  ｂｕｔｔｒｅｓｓ）”フレームに垂直部材を一体化する。
【０１５４】
図６０に、図５０〜図５６および図５９のブラケットと構成が同じ別なブラケットを示す。なお、ブラケット延設部材６０．１０７のノッチの代わりに、ほぼ円筒形の一連の凸部６０．４５７を設けて、衣類ハンガーのフックが延設部材から滑り落ちるのを防止するとともに、これらを一定の間隔で離間する手段としている。
【０１５５】
図６１〜図６４に、既に説明した独立した一つの支持フランジ５．００２と同様な独立した一つの支持フランジ６１．００２を示す。なお、支持フランジ６１．００２のスロット６１．００５と自由端部６１．００５１との間に設けられる支持フランジ６１．００２の開口６１．００４５に目釘またはピンとしてブラケット支持体６１．００４を取り付けた点で異なる。図６４に示すように、開口に取り付けたブラケット支持体６１．００４に係合するブラケット６４．００３は、ピンの位置が支持フランジの自由端部により近いため、その後部が既に説明したブラケットよりも広い。ブラケット後部のこの寸法の違いは、図６４に明示してある。上部ブラケットがこの後部が広い特徴を有し、一方既に図示した下部ブラケットが、スロット６１．００５に受け取られる、既に説明したブラケット支持体６４．１１１に係合する。
【０１５６】
図６１〜図６４のラッキングシステムの特徴は、必要に応じて、２つのピンまたは目釘６１．００４を２つの開口６１．００４５に設けることにより、ブラケット６４．００３の剛性が強くなることである。これは、ブラケットのスロットが弾性および/または制動作用に寄与しないからである。なお、ブラケット支持体を有する支持フランジのランド（ｌａｎｄ）によって得られる弾性、または懸架作用または制動作用に影響を与えるものではない。
【０１５７】
図６３に、図１０に示したような複数の支持ブラケットを組み付けたダブル支持フランジ６３．００２を示す。図は、一つのブラケット部材によって支持されたサーフボードを示す。即ち、支持フランジ６３．００２のスロット６３．００５と自由端部６３．００５１との間に設けられた支持フランジ６３．００２の適当な開口６３．００４５に一つかそれ以上の目釘またはピンを取り付ける方法を示す。さらに、第２開口６３．００４５をロッキングシステムの一部として利用することによって、端部をループ化したワイヤロープを第２開口６３．００４５に通し、フィンボックスクリートおよびパッドロック６３．００４５２によってこれをサーフボードにロックする。
【０１５８】
図６５に、ブラケット支持ピンまたは目釘をダブル支持フランジ間に延長した、図６１〜図６４の支持フランジのダブルブラケット例を示す。
【０１５９】
必要に応じて、３つ以上のブラケット支持開口を支持フランジに形成できる。
【０１６０】
既に説明した実施態様の場合と同様に、支持フランジまたはフランジが取り付けられた後部支持プレートまたは壁手段と、ブラケットの後部が接触する。
【０１６１】
図６１〜図６５のシステムの場合、ブラケット支持目釘またはピンは着脱自在な上に再利用可能であり、必要に応じて、一つかそれ以上の目釘を支持フランジに一体形成してもよく、あるいは永久的に取り付けてもよい。
【０１６２】
図６１〜図６５のラッキングシステムの場合、支持フランジのスロットは、これらがブラケット支持ピンまたは目釘を受け取るか否かに関係なく、ラッキングシステムの弾性または懸架作用または制動作用に寄与するものである。
【０１６３】
図６６〜図７１に、図１１および図１２で説明した垂直開口を備えた、上記ラッキングシステムと同様なブラケットを利用した別なラッキングシステムであって、いくつかの相違点を持つ別なラッキングシステムを示す。大きな違いは、ブラケット支持体およびピンまたは目釘を使用しない点にある。その代わりに、図６８、図７０および図７１に示すように、矩形スロット６８．９３３を配列した正面パネル６６．９３２を設け、このパネル６６．９３２の後部に設けた間隙６８．９３４に矩形スロット６８．９３３が連絡する。間隙６８．９３４は、パネル６９．９３２の後部と壁プレート６８．９３５との間に側部材６８．９３６によって形成する。この例の場合、壁プレート６８．９３５が、（正面パネル６８．９３２、側部材６８．９３６および壁プレート６８．９３５からなる）支持形成体を壁またはスタンドフレームなどの壁手段に固定する手段になる。必要に応じて、壁プレート６８．９３５を使用しなくてもよく、この場合には、正面パネル６８．９３２および側部材６８．９３６を壁またはスタンドフレームなどの壁または壁手段に直接固定できる。
【０１６４】
図６７に明示されているように、ブラケットの下向きスロット６７．０１３が、後部舌状部６７．００８をブラケットの残りから離間する。この後部舌状部６７．００８の幅は、間隙６７．９３４の幅にほぼ等しく、この幾何学的形状がパネル６７．９３２の外面から距離をおいて前端部を有するスロット６７．０１３と協調して、ブラケットの前端部がある程度の弾性、懸架作用量または制動作用量を確保し、ブラケットに保存される物品を静止するために必要な時間を長くすることによってインパルス（時分割力）を小さくできる。既述のブラケットと同様なこの作用は、スロット６．０１３の外側にあるブラケット材料の舌状部６７．００８に対する移動性に依存する作用である。
【０１６５】
図６８、図７０および図７１から理解できるように、支持形成体にスロット６８．９３３、７０．９３３および７１．９３３を配列するため、ブラケットの個数およびブラケットの使用自由度を選択できる。図７０において、独立した一つの支持形成体はパネルを備え、その幅が２つのブラケットをそれぞれのスロットに係合させるために十分であり、従って物品を支持できる。一方図６８および図７１では、３つの柱（ｃｏｌｏｕｍｎ）のみを配列し、長さのある物品を支持する必要がある場合には、図７１に示すように、２つの支持形成体を利用する必要がある。
【０１６６】
図７２および図７３に、壁内の、あるいは壁に取り付けられたスロット６８．９３３、７０．９３３および７１．９３３に係合できる着脱可能な支持手段を示す。この着脱可能な支持手段は、２つの支持フランジ７２．２０２、支持プレート７２．２０１、支持フック７２．２００およびブラケット支持体７２．２０４からなる。支持フランジ７２．２０２および支持プレート７２．２０１は、支持フランジ７２．２０２および支持プレート７２．２０１によって境界が設定されるチャネルとともにＵ字構成を形成する。支持フック７２．２００は水平部材７２．２３１および垂直部材７２．２３２を有する。支持フック７２．２００は、スロット６８．９３３、７０．９３３および７１．９３３に挿入でき、垂直部材７２．２３２が間隙６８．９３４に入り、そして水平部材７２．２３１が６９．９３２などの後部パネル内に突出する。距離７２．２２０は、６９．９３２などの後部パネルの厚みにほぼ等しい。
【０１６７】
スロットに支持フック７２．２００が係合すると、支持プレート７２．２０１がパネル６７．９３２の外面に位置する。ブラケット支持体７２．２０４は、２つの支持フランジ７２．２０２間に係合し、図９および図１０に示すようなスロットを有するブラケットを受け取る。ブラケット支持体は固定式でもよく、着脱式でもよい。二股ブラケットを使用する場合、２つの着脱可能な支持手段７２．１９９が必要になる。支持フランジの内面間の距離７２．２１０は、ブラケット支持体２．０２４の厚みにほぼ等しい。ラッキングシステムの他の実施態様について既に説明したように、ブラケットが着脱可能な支持手段７２．１９９と係合する。
【０１６８】
図７４および図７５に、７２．１９９と同様な着脱可能な支持手段７４．１９８を示す。違いは、ピンとしてのブラケット支持体を使用しない代わりに、上向きスロット７４．２１１を支持フランジ７４．２０２に形成する点である。上向きスロット７４．２１１は、図２１に示したブラケット支持体などのブラケット支持体を受け取ることができる。ブラケット支持体は開口７４．２０７に挿入し、端部７４．２０５に位置する。端部に位置する場合、ブラケット支持体は、既に説明した場合と同様にブラケットに係合する。距離７４．２０６は、ブラケット支持体の幅または直径にほぼ等しい。図示の上向きスロットは、スロット１．００５のように異なる寸法のスロットと置換できる。
【０１６９】
図７２〜図７５に示した着脱可能な支持手段７２．１９９、７３．１９９、７４．１９８および７５．１９８は、支持フランジ数は２のみであるが、必要ならば、支持フランジの個数を１にしてもよく、３以上でもよい。
【０１７０】
図７６〜図９４に、カヤック、サーフスキー、サーフボード、カヌー、セールボード、ウインドサーフィンボード、小型モーターボートなどの舟艇その他のストラップを使用するカンチレバー式舟艇を支持するブラケット７６．００６を示す。これらブラケットは、明細書全体を通して説明するように、使用するストラップの形において相互に異なる。図９５に考えられる支持手段を示し、そして図９９〜図１０２に角度を調節できる舟艇を支持するブラケットを示す。
【０１７１】
一つの実施態様では、図７６〜図１０１に示すブラケットを既に説明したラッキングシステムに使用できる。
【０１７２】
図７６に、ストラップを装着する前のブラケット７６．００６を示す。このブラケットは荷重ベアリング縁部７６．０６２、上縁部７６．１５３、下部縁部７６．１５４および前縁部７６．０５６を有する。ブラケットは荷重ベアリング縁部７６．０６２から中心から離れた前縁部７６．０５６まで延長し、舟艇を上縁部７６．１５３に受け取る。上縁部７６．１５３はその中央領域にややＵ字形状の凹部７６．４１１を有し、ここに舟艇の艇体を受け取る。使用時には、ほぼ少なくとも２つのブラケットを使用して、少なくとも２点で舟艇を支持する。
【０１７３】
図８１に、支持プレート８１．０１０に取り付けられた支持フランジ８１．００１のスロット８１．００５に保持した支持手段８１．００４を使用して支持部材８１．０３５に係合することによってブラケット８１．００６を支持する方法を示す。容易に理解できるように、支持プレート８１．０１０としては単なるプレートか、あるいは支持部材８１．０３５が取り付けられる支持構造体を使用できる。図７８に、ピンまたはロッドとしての支持手段７８．００４を示す。開口７６．１１６が支持手段７８．００４を受け取り、これに係合するとともに、ブラケット７６．００６を支持部材に固定する点として作用する。図８１に、前記実施態様で説明したラッキングシステムに係合するブラケット８１．００６を示す。
【０１７４】
ブラケット７６．００６は、荷重ベアリング縁部７６．０６２および上縁部７６．１５３に近接配置したブラケットの両面に開口する開口７６．１１６を有する。開口７６．１１６が、ブラケット面７６．１６０を横両方向に延長するピンまたはロッドとしての支持部材を受け取ることができる。
【０１７５】
スロット７６．０１３は、荷重ベアリング縁部７６．０６２に近接した下縁部７６．１５４から荷重ベアリング縁部に対してほぼ平行に延長する。開口７６．１１６のうちの一つの代わりに、スロット７６．０１３を使用でき、既に説明した支持部材と係合するフランジ状のピンとしての、図２１に示すような支持手段を受け取ることができる。ブラケットを舟艇に装着した場合、スロット７６．０１３が屈曲し、図１１および図１２に関連して説明した舟艇への荷重からの力を制動する。
【０１７６】
ブラケット７６．００６はその前縁部７６．０５６に、オール、パドルや釣りざおなどを受け取ることができる開放面開口７６．１１７を有する。開口７６．１１７は、オールなどを所定位置に保持する作用をもつ拘束縁部７６．１１８を有する。
【０１７７】
Ｕ字中央領域７６．０１１の入り口部分にある上縁部７６．１５３は、開口７６．００７まで延長する少なくとも一つのスロット７６．１１９を有する。図７６に、２つのスロット７６．１１９および２つの開口７６．００７を示す。それぞれは、Ｕ字形状中央領域の入り口部分の中心から離れた端部および中心に近い端部にある。以下に説明するように、スロット７６．１１９がＵ字形状中央領域７６．０１１をまたいで延長するストラップを受け取り、そして開口７６．００７がストラップに固定されたストラップ係合ピンを受け取る。
【０１７８】
図７７および図７８に、Ｕ字中央領域７８．０１１を横断するストラップ７８．１１３を有する、舟艇７７．００６および７８．００６を支持するブラケットを示す。当業者ならば容易に理解できるように、ストラップ７８．１１３は、ゴム、布、ウェビング、合成繊維やその他の各種材料から構成できる。ストラップ７８．１１３は、２か所において、Ｕ字中央領域７８．０１１の入り口部分に近接したブラケット７８．００１の上縁部７８．１５３に固定する。ストラップ７８．１１３の固定点は７８．１２１である。この固定点７８．１２１は、上縁部７８．１５３にネジ止め、ピン止め、接着でき、あるいは一体的に形成できる。この実施態様では、ストラップ７８．１１３は一定の長さを有する。所定位置に固定され、そしてブラケット７８．００６に舟艇が装着されると、このストラップ７８．１１３が作用して、ブラケット７８．００１に接触する舟艇の艇体の力を制動する。さらに、装着時、ストラップが舟艇またはブラケットになんらかの外力が作用した場合にこれを吸収する。例えば、ブラケットまたは舟艇が衝突した場合に加わる力、舟艇の艤装時に加わる力、あるいはブラケット７８．００１に装着した状態で舟艇を輸送するさいに加わる力を吸収できる。前縁部７８．０５６は、上縁部７８．１５３のＴ字部分７８．２１９を有し、この部分はブラケット７８．００６の両面７８．１６０を横方向に超えて延長する。
【０１７９】
この実施態様では、開口７７．００７および７８．００７は、ストラップ７７．１１３および７８．１１３に係合しないストラップ係合ピン７７．２１５および７８．２１５を有する。
【０１８０】
図７９および図８０に、調節可能なストラップ７９．１１４および８０．１１４を有する舟艇を支持するブラケット７９．００６および８０．００６を示す。ストラップ７９．１１４および８０．１１４は、ストラップ７９．１１４および８０．１１４の長さを調節するラダーロックまたはスライドアジャスター７９．１２９および８０．１２９を有する。ストラップ７９．１１４および８０．１１４は、ストラップ係合ピン７９．２１５および８０．２１５によりブラケット７９．００６および８０．００６に係合する。ストラップ７９．１１４および８０．１１４の端部は、ストラップ係合ピン７９．２１５および８０．２１５に固定できるか、あるいはストラップ係合ピンに着脱可能に係合できる。ストラップ係合ピン７９．２１５および８０．２１５は、上縁部７９．１５３および８０．１５３のＵ字中央領域７９．４１１および８０．４１１の入り口部分に近接した開口７９．００７および８０．００７に挿入する。スロット７９．１１９および８０．１１９は、Ｕ字中央領域７９．４１１および８０．４１１の入り口部分付近の上縁部から延長し、その幅はストラップ７９．１１４および８０．１１４を保持するためには十分であるが、ストラップ係合ピン７９．２１５および８０．２１５を通す程広くはない。艇体にストラップ７９．１１４および８０．１１４を装着した場合、作用する力によって、ストラップ係合ピン７９．２１５および８０．２１５が、スロット７９．１１９および８０．１１９の幅によって拘束されるＵ字中央領域７９．４１１および８０．４１１の中心に向かって引っ張られる。ストラップ７９．１１４および８０．１１４の長さをラダーロックまたはスライドアジャスター７９．１２９および８０．１２９などの調節機構を使用して調節できるため、荷重のかかった舟艇をＵ字中央領域７９．０１１および８０．０１１において低く位置させることができ、従ってストラップ７９．１１４および８０．１１４を長く設定できる。
【０１８１】
ストラップ係合ピン７９．２１５および８０．２１５は、開口７９．００７および８０．００７内にロックでき、あるいは取り外すことが可能である。着脱可能な場合、ストラップ係合ピンは場合に応じて、キャップフランジ７９．１５８などのロッキング手段を有することができる。キャップフランジ８０．１５８は、ネジシステムまたはクリップシステムによってピンに着脱可能に接続してもよく、あるいはピンに一体形成してもよく、あるいはネジおよび接着剤によってピンに永久固定してもよく、あるいは他の都合のよい任意の手段によって単に接着してもよく、あるいは装着してもよい。
【０１８２】
図８１に、図１〜図６０に関して既に説明したように、支持部材８１．０３５内に係合した舟艇を支持するブラケット８１．００６を示す。ブラケットは、図１〜図６０に関して既に説明した同じ方法でフランジに係合する。同様に、参照符号は図１〜図６０に従う。ストラップ８１．１１４は、ラダーロックまたはスライドアジャスター８１．１２９を有するため、ストラップ８１．１１４の長さを調節できる。ブラケットの荷重ベアリング縁部に近接したストラップ係合ピンを設けた場合、キャップフランジ８１．１５８は必要なく、また開口に固定してこれを受け取る必要はない。理由は、受け取りフランジ８１．００１が作用して、ストラップ受け取りピンを所定位置に固定するからである。
【０１８３】
ラッキングシステムを取り付ける壁は、ビルなどにみられる静止壁などであればよい。なお、必要ならば、上記壁はラッキングシステムを取り付けるフレームまたはスタンドの一部でもよく、このようなフレームまたはスタンドは自立式でもよく、あるいは移動が容易な、あるいは再配置可能な車輪取り付け式でもよい。
【０１８４】
図８２および図８３に、延長式ストラップ８２，０７６、８３．０７６およびこの延長式ストラップ８２．０７６をロックする前縁部８２．０５６上のカムクレート８２．１８５、８３．１８５ロッキング機構を備えたブラケットを示す。このカムクレートは、点８３．１８９の周りで回転し、ストラップ８２．０７６、８３．０７６をロックし、またロックを外す。上縁部８２．１５３、８３．１５３は、面８２．１６０、８３．１６０から横両方向に延長し、歯の付いたカムクレートを正面８２．０５６に固定するために使用される前縁部８２．０５６上にＴ字部分８２．２１９を有する。正面の上縁部８２．１５３の延長式ストラップ８２．０７６は、このＴ字部分８２．２１９上に位置し、ロックされた場合に、ストラップ８２．０７６がＵ字中央領域８２．０１１上で長くなることを阻止するカムクレート８２．１８５を通る。ストラップ８２．０７６のハンギング部分８２．０８１は、カムクレート８２．１８５からＴ字バー８２．２１６内まで延長する。Ｔ字バー８２．２１６はグリップとして作用し、ストラップ８２．０７６のＵ字中央領域８２．０１１上での最大長さを設定する。
【０１８５】
ここまで、ブラケット支持体の端部上のフランジを記述するために“キャップ式フランジ”を使用してきたが、これは、フランジの形状を図示の円形に限定するものではない。ディスクフランジは、ブラケット支持体の開口より大きく、かつフランジスロットの幅より大きい任意の形状であればよい。
【０１８６】
図８４および図８５に、図８２および図８３と同様なブラケットを示す。参照符号は図８２および図８３に従う。図８４および図８５において、カムクレートはＴ字部分８４．２１９、８５．２１９の上に固定する。
【０１８７】
図８６および図８７に、カムクレートの代わりに開口付きのブラケット８６．１９７、８７．１９７を使用した、図８２〜図８５の場合と同様なブラケットを示す。この実施態様では、ストラップ８６．０７６、８７．０７６は、各種位置に固定できない。ストラップ８６．０７６、８７．０７６が、ブラケット８６．１９７の開口８７．６９９に挿通する。ブラケットに舟艇を載せると、ストラップ８６．０７６、８７．０７６がＵ字中央領域８６．０１１、８７．０１１において長くなり、そしてハンギング部分８６．０８１、８７．０８１において短くなる。Ｔ字バー８６．２１６は、開口付きブラケット８６．１９７、８７．１９７の開口８７．６９９よりも長いため、ブラケット８６．００１、８７．００１に舟艇を載せた場合に、開口付きブラケット８６．１９７、８７．１９７が作用して、Ｔ字バー１８６．２１６、８７．２１６がさらに持ち上がることを防止し、Ｕ字中央領域８６．０１１におけるストラップ８６．０７６の長さを制限する。
【０１８８】
図８８および図８９に、締め付けバレル８８．６０５を備えた、図８６および図８７と同様なブラケットを示す。ストラップ８９．０７６の端部は、締め付けバレル８９．６０５の中心部分８９．１１５に固定するか、あるいは係合可能である。締め付けバレルは、側面８８．１６１、８９．１６１を超えて部分的に突出し、ラチェット部材として作用する端部フランジ８９．１０９を有する。旋回作用ロッキング部材８８．６１０は、旋回点８８．６１１、８９．６１１において側面８８．１６１、８９．１６１に固定する。ロッキング部材８８．６１０、８９．６１０は、端部フランジの歯付き縁部８８．１１２に係合するもので、ハンドル８８．６０７、８９．６０７を有する。ストラップ８９．０７６が締め付けバレル８８．６０５、８９．６０５に係合すると、端部フランジ８８．１０９が回転し、ストラップ１８８．０７６、８９．０７６が締め付けバレル８８．６０５、８９．６０５に巻き取られ、ストラップ８８．０７６、８９．０７６が短くなり、荷重のかかった舟艇の、Ｕ字中央領域８８．０１１、８９．０１１内における位置が高くなる。一つか２つの端部フランジ８８．１０９、８９．１０９は、歯付き縁部を有する。一つか二つの側面８８．１６１、８９．１６１は、ロッキング部材８８．６１０、８９．１０５を有する。締め付けバレルの歯付き縁部８８．１０９、８９．１０９に係合すると、ロッキング部材８８．６１０、８９．６１０が作用して、ストラップ８８．０７６、８９．０７６を巻き取り位置にロックする。
【０１８９】
図９０および図９１に、ストラップ構成が異なる、上記と同様に舟艇を支持するブラケット９０．００６および９１．００６を示す。図９０は、図７９に示したような実施態様で説明したように、開口９０．００７およびスロット９０．１１９に嵌合する独立した一つの一体的な調節可能なストラップ９０．７７７を示す図である。この調節可能なストラップは、スロット９０．１１９の開口９０．２２２に入り、係合ピン９０．２１５の周囲に巻きつき、スロット９０．１１９から出る。ブラケットに荷重が作用していない場合、ストラップの荷重ベアリング端部９０．５５５およびストラップの自由端部９０．６６６の長さを調節し、中央部分９０．４１１間におけるストラップ９０．７７７の長さを調節できる。舟艇をストラップ９０．７７７に載せると、荷重ベアリング端部９０．５５５が自由端部９０．６６６を押し下げるため、両者を所定位置に有効にロックでき、荷重ベアリング端部９０．５５５および自由端部９０．６６６の両者が短くなったり、あるいは長くなったりすることはない。
【０１９０】
図９１に、図９０に示したブラケットと同様なブラケット９１．００６を示す。ほぼ連続的なスロット９０．１１９の代わりに、図９０に示したものは、開口９１．００７に延入するテーパー状スロット９１．３３３である。この結果、図９０の説明と同じ動作が生じ、荷重ベアリング端部９０．５５５がロッキングされ、自由端部９０．６６６が開口９０．２２２に位置することになる。荷重を受けたときにストラップの所定位置におけるロッキングを確保するために、他の構成のスロットおよび開口を使用することができる。
【０１９１】
図９２に、既に説明したように、Ｕ字中央領域９２．０１１、支持手段９２．００４および開口９２．１１７を備えた、舟艇を支持するブラケット９２．００６を示す。既に説明したストラップと同様に、膨張式ブラダー９２．１６７を使用する。ブラダー９２．１６７は、上記の実施態様におけるストラップに関して説明したように、ストラップ係合ピン９２．２１５に係合する。ブラダー９２．１６７は、荷重ベアリング縁部９６．０６２に近接した端部のみでストラップ係合ピンに係合するが、このブラダーは、上記実施態様において説明した方法のうち任意の方法で上縁部９２．１５３に固定できる。膨張式ブラダー９２．１６７を使用した場合、減圧式ブラダーよりも多くの力を吸収できる。
【０１９２】
図９３に、ストラップ係合ピン９３．２１５を使用してブラダー９３．１６７をＵ字中央領域９３．０１１の両端に固定した、図９３と同様なブラケット９３．００１を示す。図示のブラダー９３．１６７は減圧式であり、ベン９２．０１７３を使用すれば、膨張性材料からなるブラダー９３．１６７を膨張させることができる。
【０１９３】
図９４に、ブラダー９４．１６７がウェビング材料９４．０６８に重なっているか、あるいはその長さ方向の縁部にそってウェビング材料を有する、図９１と同様なブラケット９４．００６を示す。このウェビングがあるため、ブラダーによって舟艇の艇体のより大きな表面積を支持でき、ブラダー９４．１６７にかかる力の分配をよりよくできる。
【０１９４】
図９５に、Ｕ字中央領域９５．０１１の長さにそってブラケットの上縁部にブラダー９５．１６７を固定した、図９２および図９３と同様なブラケット９５．００６を示す。この構成では、Ｕ字中央領域９５．０１１に沿って上縁部９５．０６２に近接した可能な限り低い位置に舟艇を載置できる。膨張すると、ブラダーが舟艇からブラケットに加わる力を吸収する。
【０１９５】
図９６に、高い膨張性のブラダー９６．１６７を使用した、図９２および図９３と同様なブラケット９６．００６を示す。
【０１９６】
上記ブラダーは、空気、水、その他の都合のよいショック吸収ガス、あるいはその他の都合のよいショック吸収流体で膨張させることができる。
【０１９７】
図９７〜図１０１に、支持部材内で角度を調節できる、舟艇を支持するブラケット９７．６０４を示す。このブラケット９７．６０４は、９７．６９１などの支持手段を受け取ることができる３つの支持開口９７．１９３、９７．１９４および９７．１９５を有する。支持開口９７．６９１は、上記実施態様と同様に、支持部材９８．０３５のスロット９８．００５に係合する。ピンを開口９７．１９３、９７．１９４および９７．１９５に挿入せずにブラケット９７．６０４を使用できる。これら開口９７．１９３、９７．１９４および９７．１９５のうちの一つがピンを受け取ると、このピンが、ブラケット９７．００４が位置する角度を設定し、開口９７．１９３、９７．１９４および９７．１９５がそれぞれ異なる角度位置を確保でき、あるいは支持部材９８．０３５の後壁９８．０６４に対して所定範囲の角度変位を確保できる。端部支持体９７．２９７が作用して、ブラケット９７．００４が所定の角度位置にあるときに舟艇を拘束する。
【０１９８】
図９７〜図１０１に、ブラケット９７．００４を使用できる舟艇の艇体９７．１７７と同じ形状で形成したブラケット９７．００４の上縁部９７．１５３を示す。他の艇体については、他の形状が使用できる。
【０１９９】
図９８に、開口９７．０９３、９７．０９４または９７．１９５のいずれも支持手段９８．６９１に嵌合しない実施態様を示す。ブラケットの荷重ベアリング壁９８．０６２は、角度変位が生じることはなく、支持手段９８．６９１との荷重ベアリング点として作用する。この位置では、支持部材９８．０３５に対して垂直な方向に占められるスペースは小さい。舟艇の艇体９８．１７７および端部支持体９８．２９７の形状を取る上縁部９８．１５３によって舟艇が所定位置に保持される。
【０２００】
図９９に、開口９９．１９３が、ブラケットに支持部材９９．０３５の後壁９９．０６４からの最大角度変位９９．１００を与える支持ピンを受け取る図９７および図９８のブラケットを示す。
【０２０１】
図１００に、開口９１００．１９５が、ブラケットに支持部材１００．０３５の後壁１００．０６４からの最小角度変位１００．１００を与える支持ピンを受け取る図９７〜図９９のブラケットを示す。
【０２０２】
図１０１に、開口１０１．１９４が、ブラケットに支持部材１０１．０３５の後壁１０１．０６４からの中間角度変位１０１．１００を与える支持ピンを受け取る図９７〜図１００のブラケットを示す。
【０２０３】
上記の異なる角度変位を与えるように、開口１０１．１９３、１０１．１９４および１０１．１９５を分離する。一つの実施態様におけるこの分離は、円の円周上で生じる。
【０２０４】
図１０２に、舟艇の艇体の輪郭になる上縁部１０２．１５３をもたないブラケット１０２．００８を備えた、図９６〜図１０１と同様な構成を示す。中央領域１０２．０１１はややＵ字形状である。
【０２０５】
図１０３に、ブラケット１０３．１０２が平坦上部１０３．１５３およびフック式端部部分１０３．１０３を有する、図９６〜図１０２と同様な構成を示す。
【０２０６】
図７６〜図１０３に示すブラケットは、既に説明した実施態様のラッキングシステムとともに使用する。なお、容易に理解できるように、図７６〜図１０３に示したブラケット改良例は、他のブラケット支持システムにも利用でき、上記のラッキングシステムに制限されない。
【０２０７】
図１０４〜図１０９に、壁、天井パネルまたは床パネルとして使用できる支持パネル１０４．７００を示す。このパネル１０４．７００は、壁や天井パネルの下に敷く基材として使用してもよく、あるいは以下に説明するように自立式パネルとして使用してもよい。
【０２０８】
支持パネル１０４．７００の裏面１０４．７０６は、壁、天井または床に対向して位置する面であり、また天井と床との間の自立面でもよい。自立面の場合、垂直直立パネルになり、あるいは２つの壁または２つの支持体の間のハンギングパネルになる。あるいは、自立式パネルになるように、基部に取り付けることも可能である。
【０２０９】
支持パネル１０４．７００は、裏面１０４．７０６と正面１０４．７０８との間においてパネル１０４．７００の厚み１０４．７１０を完全に貫通するように配列された開口１０４．７０４を有する。また支持パネル１０４．７００の裏面１０４．７０６は、さねはぎ（ｒｅｂａｔｅ）またはさねはぎを形成した溝１０４．７０２などの後部チャネルを有する。これらさねはぎを形成した溝の目的については以下に説明する。
【０２１０】
正面（前面）１０４．７０８にも、溝または凹部１０４．７１８（短く、水平である）および１０４．７２０（短く、垂直である）および凹部１０４．７１３（パネル全長または全幅にわたって垂直または水平に設けられる）および１０４．７１６（矩形である）を設けることができる。正面のこれら溝または凹部において、開口１０４．７０４も支持パネル１０４．７００の薄い厚み１０４．７１７を介して後部チャネル１０４．７０２まで延長する。あるいは、正面チャネルまたは凹部を平行リブ１０４．７９９によって形成でき、この場合パネルの厚みを小さくする必要はないが、減肉（removing material）によって形成したチャネルまたは凹部と比べた場合、見た目もよくなく、製造も容易ではない。
【０２１１】
後面１０４．７０６が後部チャネル１０４．７０２を有する場合、図１１０〜図１３１について以下に説明するようなブラケットを開口１０４．７０４に設けることができるため、フック式部分が、以下に詳しく説明するように、チャネルまたは凹部１０４．７０２内に位置できる。前面凹部１０４．７１７の開口１０４．７０４に取り付けた場合、幅が凹部１０４．７１７の幅と同様なブラケットまたはその他の支持部材および支持構造体は、チャネル側壁１０４．７１２によってその横方向の移動が制限される。前面凹部１０４．７１６、１０４．７１８および１０４．７２０は例示のみを目的とし、凹部の形状は支持パネル１０４．７００に取り付けられる任意のアタッチメントに対応するように構成できる。凹部１０４．７１６、１０４．７１８および１０４．７２０の機能は、内部に、(以下に説明するように)ブラケットによってパネル１０４．７００に取り付けられるパネル、物品またはキャビネットの周囲を受け取ることである。
【０２１２】
パネル１０４．７００の各部の寸法について触れると、開口１０４．７０４の高さは５０ｍｍ、幅は２５．５ｍｍであり、これらについては、部分７４．２３２または１１９．７２０がパネル１０４．７００の前面に対してほぼ平行な状態にある間、これら部分７４．２３２または１１９．７２０が簡単に開口１０４．７０４を挿通できるように選択したものである。また、後部チャネルまたはさねはぎ１０４．７０２の幅は２６ｍｍ、チャネルまたはさねはぎの壁の深さはほぼ４ｍｍである。パネル１０４．７００は、後凹部、チャネルまたはさねはぎを形成する前は、２，４００ｍｍ×１，２００ｍｍ程度で、厚みは２５ｍｍ程度である。
【０２１３】
図１０５に示すように、後部チャネルまたはさねはぎ１０５．７０２は、支持パネル１０５．７００の全長にわたっている。後部チャネルまたはさねはぎ１０５．７０２のベース面１０５．２２５は、開口１０５．７０４間を延長し、開口両側における開口壁と交差する凹部になる。さらに、支持パネル１０５．７００を壁として使用する場合、後部チャネルのベース面１０５．２２５は、開口の上でかつこれに隣接１０５．７１４する領域および開口１０５．７０４の下でかつこれに隣接１０５．７２３する領域を有する。減肉スルー壁１０５．７２９が以下に説明するように、支持部材のハンギングアームに当接する。後部チャネルまたはさねはぎ１０５．７０２は、図１０６に参照符号１０６．７０１、１０６．７０３および１０６．７０５で示すように、開口１０５．７０４を取り囲む領域に限定される。パネルが所定の方向性をもっている場合には、凹部は開口の一方の側にのみ設けることができる。後面１０４．７０６凹部の形状は、使用する支持部材のタイプおよび方向性に依存する。
【０２１４】
凹部１０４．７１８および１０４．７２０は、開口１０４．７０４から互い違いにするか、あるいは離間する。キャビネットなどの物品、棚や他の家具または建築構成要素の上部材または側部材は、凹部１０４．７１８または１０４．７２０に挿入でき、物品の横方向移動を制限する。物品の上部材または側部材は、支持パネル１０４．７００の方向に支持構造体の他の部材よりも突出している。
【０２１５】
図１０６に、それぞれの開口１０６．７０４に隣接して各種の異なる後凹部形状１０６．７０２、１０６．７０３、１０６．７０１、１０６．７０５および１０６．８９９をもつ支持パネル１０６．７００の後面１０６．７０６を示す。なお、製造時これら凹部タイプのうち一つのみを選択するが、必要ならば、２つ以上のタイプを使用することも可能である。
【０２１６】
支持部材がチャネル１０６．７０２または凹部１０６．７０１の方向にロッキング部材を有する場合には、後部チャネル１０６．７０２および凹部１０６．７０１を使用する。凹部１０６．７０３が使用できるのは、使用する支持部材のフットプリントが後部チャネル１０６．７０２および凹部１０６．７０１に対して直角になっている場合である。凹部１０６．７０５があるため、任意の方向かあるいは２つの以上の方向にロック部材をもつ支持部材を使用することができる。チャネルは後部チャネルベース面１０６．７２５を備え、後部凹部が後部凹部ベース面１０６．７４３を有する。必要ならば、後部チャネルまたは凹部は平行リブ１０６．８９９によって形成できる。この場合、パネルを減肉する必要はないが、減肉によって形成したチャネルまたは凹部と比べた場合、見た目もよくなく、製造も容易ではない。
【０２１７】
図１０７に、前部チャネル１０７．７１３および後部凹部１０７．７９６、１０７．７０２、１０７．７５５および１０７．７７５の両者を備えた支持パネル１０７．７００を示す。前部凹部１０７．７１３は、ベースと２つの側部をもつ形状のチャネルであり、成形されたハンギングユニットを受け取るものであり、領域１０７．７１２によって横方向移動が制限されているか、パネルにより固く保持することができる。前部ベース面１０７．７１１と後部チャネルベース面１０６．７２５との間において支持パネル１０７．７００の厚み１０７．７１７が小さくなっているため、アーム１１９．７２２などのブラケットのアームの長さを短くする必要がある。パネル１０７．７００は、図示のように、他の側に後部面と前部面を備えているが、容易に理解できるように、逆のパネル１０７．７００、即ち後部側が前部側になり、そして前部側が後部側になるパネルを使用することも可能である。また、図１０６および図１０７は、説明のみを目的として各種形状および方向の開口を示すが、使用者側の必要に応じて、一つのタイプおよび方向に対して一つを、あるいは必要ならば２つ以上を使用することができる。
【０２１８】
図１０８に、後部チャネル１０８．７０２の開口１０８．７０４が、厚み１０８．５４３の小さい壁にそって半径のある縁部１０８．７１９を有する支持パネル１０８．７００を示す。図１０８に示すパネルの後部は、図１１４に示すような支持部材とともに使用するのがベストである。この場合、フック要素は所定の回転度をもつ必要がある。半径をもつ縁部１０８．７１９は、減肉壁部１０７．７２９から後部ベース面１０７．７２５に湾入する。半径をもつ縁部は、開口１０８．７０４内に導かれる対向領域に設けられる。支持パネルを壁に対して設けた場合、この半径をもつ縁部があるため、挿入された支持部材を回転させることができ、回転アークはこの壁に向かって移動し、チャネル１０８．７０２に挿入された状態を維持できる。
【０２１９】
図１０９に、各種の異なるサイズのパネル１０９．７９０、１０９．７９１、１０９．７９３、１０９．７９４、１０９．７８５、１０９．７８３および１０９．７９７を組み立て、相互に隣接して固定して開口列を形成する方法を示す。これら図面に示す開口構成１０９．７０４は、説明のみを目的とする。即ち、当業者ならば容易に対処できるように、支持されたユニットの必要な位置に対応できるように各種の異なる構成を使用することが可能である。なお、パネルの垂直縁部間の水平間隔およびそれぞれのパネルの開口については、隣接パネルの開口の隣接カラム間の間隔が、結果的に、同じパネルの隣接カラムと同じ間隔になるように設定する。同様に、パネルの水平縁部間の間隔およびそれぞれのパネルの開口についても、隣接パネルの開口の隣接列間の垂直間隔が、結果的に、同じパネルの隣接列と同じ間隔になるように設定する。
【０２２０】
支持パネルは、パネルに伝えられることになる物品の荷重および重量を支持できる任意の適当な材料から構成できる。例えば、各種の密度およびグレード、異なる厚みおよび強度をもつものを購入できるＮＥＭＡの名称で市販されている発砲ＰＶＣシートなどのポリマーパネルを使用する場合には、パネルがキャビネットなどの家具や棚を支持するのか、あるいは階段の踏み板や梁などの建築物要素を支持するのかに応じて、シートのグレード、密度および強度を選択すればよい。
【０２２１】
図１１０に、支持パネル１０４．７００とともに使用するバネ支持部材またはブラケット１１０．７２１に示す。このブラケット１１０．７２１は、ベース１１０．７３０から延長するねじを刻んだ半径をもつ領域１１０．７２６を適宜設けることができる開口１１０．７２８、ベース１１０．７３０から離れた半径をもつ領域から延長するハンギングアーム１１０．７２２、およびハンギングアーム１１０．７２２の中心から遠い端部から垂直に延長するロッキング部材１１０．７２０を有する。
【０２２２】
１０４．７００などの支持パネルに係合すると、半径をもつ領域１１０．７２６が発生するバイアスに逆らってロッキング部材１１０．７２０同士が接近し、これによってハンギングアーム１１０．７２２の外端部間の距離１１０．３８９が短くなる。この距離１１０．３８９が開口１０４．４１０の長さよりも短くなると、ロッキング部材１１０．７２０が開口１０４．７００に挿通する。開口１０４．７０４に一旦挿入されると、半径をもつ領域１１０．７２６が解除され、ロッキング部材１１０．７２０が回転し、後部チャネル１０６．７１１のベースまたは後部凹部１０６．７２５のベースに係合するため、ロッキング部材１１０．７２０がチャネルおよび凹部に位置し、アーム１１０．７２２が開口１０４．７０４の対向端部に対して、あるいはこれらの付近に載り、これによってアーム１１０．７２２間の距離が、開口の長さ１０４．４１０と同じになる。
【０２２３】
図１１１に、図１１０に示すようなバネ支持部材１１１．７３１を備えた、図１１０と同様なブラケットを示す。なお、半径を持つ領域１１１．７２６間にボルト１１１．７４０を嵌合した点が図１１０と異なる。ナット１１１．７３３を用いてボルトを締め付け、あるいは緩めて、ハンギングアーム間の距離１１１．７４７を変える。
【０２２４】
図１１２に、バー１１２．７３５をブラケット１１２．７４１のベース１１２．７３０に取り付けた図１１１のブラケットを示す。バー１１２．７３５は、ベース１１２．７３０の開口１１２．７２８に固定し、開口１１２．７２８にネジ、クリップ、ピンまたはリベットにより取り付けるか、あるいはこれと一体形成する。バー１１２．７３５の中心から遠い端部は、他の物品を取り付けることができるリング開口１１２．７３７を備えたリング１１２．９３６を有する。
【０２２５】
図１１３に、バーまたはシャフト１１３．７３５を有する、図１１０と同様なバネ支持部材１１３．７３９を示す。
【０２２６】
図１１４に、ボウラーハット形状の上に逆ボウラーハット形状を備えた、上下が逆のＵ字形状、即ちＸ字形状のブラケット１１４．７５１を示す。各ボウラーハットの山にそってボウラーハット形状を取り付ける。各ボウラーハットの帯領域１１４．７５２は、つば領域１１４．７２０まで延長する。逆ボウラーハット形状のつば領域１１４．７２０は、上記のロッキング部材１１０．７２０と同様に動作する。山部分の中央に設けたヒンジ１１４．７５０によって、距離１１４．７４９を変更できるため、この距離が短くなると、つば、即ちロッキング部材１１４．７２０が開口に挿通し、図１１０〜図１１３の上記説明と同様に、後部チャネルベース面１０６．７２５または後部凹部ベース面１０６．７４３に当接する。支持部材１１４．７５１はヒンジ１１４．７５０で分割するため、ヒンジ作用を確保でき、これによって下端部同士を接近させる力が、上端部を引き離すことになる。従って、ブラケットの荷重がこの作用を発生すると、荷重が大きくなる程、パネルに係合するブラケット係合力が大きくなる。
【０２２７】
図１１５に、一端１１５．４２５にキャップされ、相互に入れ子式に動作する２つのボックス部分１１５．７６２および１１５．７６０からなるボックス形状の支持部材、即ちブラケット１１５．７６９を示す。ボックス部分１１５．７６２または１１５．７６０に、保管すべき物品を吊り下げるために使用するフック部材１１５．７５６を取り付ける。上記の支持部材に関して説明した支持パネル１０４．７００と同様に、ハンギングアーム１１５．７２２およびロッキング部材１１５．７２０が動作する。
【０２２８】
より小さな開放ボックス部材１１５．７６０が、より大きな開放ボックス部分１１５．７６２内をスライドして、ハンギングアーム間の距離１１５．７４７を変える。スロット１１５．７５８が、２つの開放ボックス部分１１５．７６２および１１５．７６０の２つの対向面に挿通し、整列可能である。スロットが整列すると、ハンギングアーム１１５．７４７間の距離によってハンギングアームが、開口１０４．４１０の長さに等しい長さで支持パネルの開口の壁に当接し、ロッキング部材が、後部チャネルベース面１６．７２５または後部凹部ベース面１６．７４３に当接する。この位置にあるとき、スロット内にピン、クリップ、ボルトまたは他のロック部材をスロットに挿通できるため、距離１１５．７４７が変ることはない。ハンギングアームは、図示では、ボックス部分のキャップを嵌めた端部１１５．４２５から延長するようになっているが、スロット１１５．７５８を都合のよい位置に設けた状態で、ボックス部分のベースにそって任意の点に固定できるため、ハンギングアーム１１５．７４７を適切な距離、離間しておくことができる。必要ならば、ボックス部分１１５．７６２および１１５．７６０内に圧縮バネを設けて、アーム１１５．７２２を強制的に離間できる。なお、このバイアスに対しては、使用者がボックス部分を圧縮する必要がある。
【０２２９】
図１１６および図１１６Ａに、２つのビーム支持部材１１６．７５９および１１６．７７９を示す。図１１６Ａおよび図１１７に、ビーム１１６．７８０をビーム１１６．７８０のいずれか端部で２つの管部分１１６．７６１に挿入したビーム支持部材１１６．７５９を示す。管部分は、支持パネル１０６．７０４の開口に挿入できるハンギングアーム１１６．７２２、および後部チャネルベース面１０６．７２５または後部凹部ベース面１０６．７４３に当接するロッキング部材１１６．７２０を有する。２つの管部分１１６．７２０は、目的の位置に達するまでビームの所定長さにそってスライドでき、次に開口１０６．７０４に挿入し、ここに固定する。管部分１１６．７６１は、開放管であり、この場合ビーム１１６．７８０は任意の都合のよい長さであればよい。あるいは、管部分１１６．７６１は、外端部が閉じられたものでもよく、この場合ビーム１１６．７８０の長さは、管部分の１１６．７６１の間隔に応じて設定する必要がある。ビームの長さにそった所定位置に管部分１１６．７６１をロックするためには、ロッキング開口１１６．７６４を使用してネジまたはボルトを挿入し、ビーム上にネジ止めし、管部分１１６．７６１を所定位置にロックする。適宜、ビーム１１６．７８０はその長さにそって開口を有していてもよく、これら開口にネジまたはボルトを挿通するか、あるいはネジまたはボルトをビーム１１６．７８０の面に摩擦ロックする。
【０２３０】
図１１６Ａおよび図１１８に、管部分１１６．７６１の代わりに２プレート式の部分１１６．７６３を使用した、図１１６の部材１１６．７５９と同様な部材１１６．７７９を示す。この２プレート式部分１１６．７６３は、角度の付いたハンギングプレート１１６．７６８によって接続されたビーム１１６．７８０の対向する両側においてプレート１１６．７６６を使用する。ビーム１１６．７８０は、スライドし、１１６．７５９の場合と同様にして２プレート式部分１１６．７６３の間に固定できる。
【０２３１】
図１２５に、図１０４の支持パネルを示し、そして図１１３、図１１６、図１１７、図１１６Ａおよび図１１８のブラケットを開口１２５．７０４によって支持パネルに取り付ける方法を示す。
【０２３２】
図１１９、図１１９Ａ、図１２０、図１２０Ａ、図１２３、図１２３Ａ、図１２６、図１２６Ａおよび図１２４に、ビーム１１９．７８０に固定される各種の物品または支持構造体を支持するハンギングシステム１１９．７７１を示す。これら物品としてはキャビネット、棚、たんす、カップボード、椅子、ストール、化粧台、壁ユニット、ステレオユニットやその他の家具、梁や階段の踏み段などの建材、パネルに取り付けられる美術芸術品などの他の物品がある。ほぼ矩形のブラケット支持プレート１１９．７７０は、固定ブラケットとして製造する場合にはバック面１１９．７４４を有するか、あるいはシート材料から製造する場合には２つの縁部を有する。バック面１１９．７４４が支持パネル１０６．７００に当接し、取り付けられた物品からの荷重を伝える。ブラケット１１９．７７０の上面は、３面の切り欠きまたは凹部１１９．３２２を有し、中央側が、ブラケット内部に受け取られるビーム１１９．７８０によって伝えられる荷重を受け取るベアリング面として作用する。この中央側には、以下に説明するように、ビーム１１９．７８０がこれにそって併進する作用もある。ハンギングアーム１１９．７２２およびロッキング部材１１９．７２０は、上記と同様に動作する。パネルに前部凹部がない場合には、横方向補強部または突出部１１９．７８６を設ける。この突出部１１９．７８６は、ハンギングアーム１１９．７２２およびロッキング部材１１９．７２０が係合する開口１０６．７０４下の開口１０６．７０４に位置する。この突出部１１９．７８６があるため、ブラケットの下端部が組み立て後に横方向に移動することがなくなる。必要ならば、突出部１１９．７８６の代わりに、１１９．７２２および１１９．７２０と同様な第２のハンギングアームおよびロック部材を使用することが可能である。
【０２３３】
小ネジまたはボルト１１９．７７２を使用すると、支持ビーム１１９．７８０をブラケットおよびパネルに対して位置決めする距離１１９．７８４を変更することができ、支持ビームに取り付けられ、かつ支持プレート１１９．７７０に保持された物品を圧縮力によって支持パネル１２０．７００に押しつけ、固く保持できる。
【０２３４】
図１２０および図１２０Ａに、支持パネル１２０．７００を横断面図として示す。図１２０に示すものは、部分的に組み立てられたシステムで、ハンギングアーム１２０．７２２が開口１２０．７０４に挿通し、開口の壁に当接している。ロッキング部材１２０．７２０も開口１２０．７０４に挿通し、図示のように、後部チャネルベース面１２０．７２５付近まで延長し、後部チャネルベース面１２０．７２５に係合する前の状態になっている。突出部１２０．７８６は、図示のように、隣接部の上部にある。図１２０Ａに、ハンギングシステム１２０Ａ．７７１が後部チャネルベース面１２０Ａ．７２５に係合した、完全に組み立てられたシステムを示す。
【０２３５】
部材１１９．７２０の幅および長さ、およびハンギングアーム１１９．７２２の幅および長さについては、後部さねはぎまたは凹部１０４．７０２および開口１０４．７０４の幅に無理なく滑り嵌めするように設定すればよい。さねはぎ１０４．７０２が側壁を有しているため、部材１１９．７２０の長さにより、パネル１０４．７００に対して垂直な回転軸の周りでブラケット１１９．７７１が捻じれることがなくなる上に、突出部１１９．７８６によるこのような捻じれもなくなる。一方、アーム１１９．７２２の幅によっても、垂直軸を中心とするブラケット１１９．７７１の捻じれもなくなる。さらに、図１１９に示すように、部材１１９．７２０の後縁部/面１１９．７４４および内面１１９．７２４間の距離１１９．９３４についても、（以下に説明するように）アーム１１９．７２２が開口１０４．７０４に入るように選択するとともに、後縁部/面１１９．７４４がパネル１０４．７００の前面に隣接した場合に、部材１１９．７２０の内面１１９．７２４が凹部/さねはぎ１０４．７０２のベース面１０５．７２５から抜け出るように選択する。
【０２３６】
図１２３、図１２３Ａ、図１２６および図１２６Ａに、家具などの物品の棚または一部、あるいはビーム１２３．７８０を取り付けた建材要素１２３．８５３を示す。図１２３および図１２６に、ネジ１２３．７７２、１２６．７７２を締め付けていない、即ち間隙１２３．８８４、１２６．８８４がそれぞれ間隙１２３Ａ．８８５、１２６Ａ．８８５より小さいという点で組み立てを完全に終わっていないシステムを示す。ネジ１２３．７７２を締め付けることによって、ビーム１２３Ａ．７８０が支持パネルに向かって移動し、これによってネジが締め付け力を与え、物品１２３Ａ．８５３をパネル１２３Ａ．７００に固定した状態におく。１０４．７１８などの前部さねはぎを設けると、部材１２３Ａ．８５３の縁部が、さねはぎ１０４．７１８に挿入し、ネジ１２３Ａ．７７２を締め付けることによってさねはぎに締め付けられることになる。ネジ１２３Ａ．７７２の締め付け作用によって、パネル１２６Ａ．７００とロック部材１２６Ａ．７２０との間にも等しいが逆方向の締め付け力が働く。これら締め付け力および結果的に生じる摩擦によって、ブラケット１２６Ａ．７７１、物品１２６Ａ．８５３およびパネル１２６Ａ．７００が相対的に移動することがなくなる。
【０２３７】
図１２４は、図１１９、図１１９Ａ、図１２０、図１２０Ａ、図１２３、図１２３Ａの完全組み立て状態にあるシステムの、内部構成成分が見えるワイヤフレーム図である。図１２４に示す物品は、ビーム１２４．７８０を内部に組み込まれるか内部に取り付けられ、キャビネットの各側においてブラケット１２４．７７１に係合した浴室の化粧品キャビネットまたはユニットまたはカップボードである。浴室では、パネル１２４．７００が、タイルやその他の壁仕上げ材を取り付けることができる壁面全体を構成する。あるいは、パネル１２４．７００のサイズは、キャビネットのサイズにごく近いもので、このパネルは、壁部材およびこれらに取り付けられたキャビネットに固定する。図１２４に示したシステムの一つの具体的な作用効果は、ブラケット１２４．７７１によってキャビネット１２４．８５３をブラケット１２４．７７１およびパネル１２４．７００に対して横方向に十分に調節できる点である。
【０２３８】
例示のみを目的として、図１１９および図１１９Ａの支持体のいくつかの代表的な寸法を挙げると、高さＶは１８５ｍｍ程度、部材１１９．７２０の長さＴは４０ｍｍ程度、そしてアーム１１９．７２２の長さＳは約２４ｍｍ程度である。図１１９のピーグ（ｐｅａｇ）に入るアーム１１９．７２２の幅は約２５．５ｍｍ程度である。間隙１１９．９４３の幅Ｒは約２１ｍｍ程度、そして正方形ビーム１１９．７８０の側部長さは約３０ｍｍ程度、そして凹部１１９．３２２の幅Ｍは約４５ｍｍ程度、高さは約３０ｍｍ程度である。図１１９Ａから理解できるように、ブラケット全幅Ｘは２９．５ｍｍ、内側幅Ｗは約２５．５ｍｍ程度である。
【０２３９】
図１２１に、支持プレート１２１．７７０に横方向に延長するスロット１２１．７９５を付加して、成形ビームまたはさねはぎ付きビーム１２１．７９１上に下部突出部１２１．７９３を受け取るように構成した以外は、図１１９、図１２０および図１２０Ａと同様なシステムを示す。この突出部１２１．７９３の一部がスロット１２１．７９５に入り込んだ後は、この付加的なスロット１２１．７９５によって、ビーム１２１．７９１が開口１２１．７８７またはブラケット１２１．７７０から外れることがなくなる。
【０２４０】
図１２２および図１２２Ａに、図１１９〜図１２１のブラケットと同様なブラケットを設けたシステムを示す。ただし、後部壁１２２．８７７の長さが短く、矩形の支持プレート１２２．８７３がより浅いが、上記の実施態様と同様に、三角形を使用している。このシステム１２３Ａ．７７１は、小型の無頭ネジ１２２Ａ．９７７および支持プレート１２２．８７３を有する。
【０２４１】
図１２７〜図１３０は、支持すべき物品においてビームを受け取る凹部１２７．３２２を備えた、図１２２および図１２２Ａと同様なハンギング支持体またはブラケット１２７．８７３を示すワイヤフレーム斜視図である。凹部１２７．３２２の前縁部と一方の側にねじを刻んだ孔１２７．９２３を設け、また凹部１２７．３２２の中央部またはベース部に別なねじを刻んだ孔１２７．９２２を設ける。これら孔１２７．９２２および１２７．９２３にねじが刻まれているため、ボルト１２７．２２２を孔１２７．９２３に挿入でき、そして回転軸をボルト１２７．７７２に対して直角に設定した別なボルト１２７．２２４を孔１２７．２２４に挿入できる。使用時、ボルト１２７．７７２および１２７．２２４はそれぞれほぼ水平および垂直である。図１２５のシステムの場合、ボルト１２７．２２４を使用して、必要に応じて水平化してもよく、あるいは角度を付けることができる。なお、ボルト１２７．２２４の場合、ボルト１２７．７７２を締め付けてシステムおよび構成成分を最終的に固定する前に調節しておくことが必要である。
【０２４２】
ボルト１２９．２２４および１２９．７７２は、ビーム１２９．７８０の垂直位置および水平位置の両者に対する調節ネジとして作用する。これら調節ネジの中心から遠い端部１２９．９９９および１２９．９９８は、図１３０に示すように、パッド１３０．２６６を有し、これによってビーム１３０．７８０とボルト１３０．７７２/１３０．２２４との間に大きな接触表面積を確保できる。必要ならば、クッション材でカバーしてもよい。ボルトは、その垂直位置または水平位置を抵抗力または締め付け力によって維持できる。あるいは、ロッキングラグナットまたは化学的作用によるロックなどのその他の都合のよい手段を使用してもよい。ボルトやねじを刻んだネジ調節手段の代わりに、ピストンやその他の手段を使用して、ビームの垂直位置および水平位置を調節してもよい。
【０２４３】
図１３１は、ビームを垂直および水平調節できる図１２７〜図１３０の２つのハンギング支持体１３１．８７３によってパネル１３１．７００に取り付けるキャビネットを示す斜視図である。ハンギング支持体またはブラケットは、既に説明したように支持パネルに取り付けることができる。
【０２４４】
図１３２に、部分的に組み付けたアートスクリーン１３２．５３０を示す。このスクリーン１３２．５３０は、１３２．７００などの２枚のパネルを連続的に設置し、後部垂直凹部を整列させる。必要ならば、整列を解くと、スクリーン１３２．５３０が透視できなくなる。２つの取り付けフランジ１３２．５３１を各パネル１３２．７００の端部に形成すると、垂直支持体１３２．５３２のスロットに組み付けることが簡単になる。また、重力作用によってパネルにロックできる。従って、必要な場合には、解体が簡単になる。必要に応じて、上記のブラケットを使用して、美術品などをアートスクリーン１３２．５３０の任意の望ましい位置に取り付けることができる。この代わりに、あるいはこれに加えて、棚を設置すると、彫刻作品、塑像作品、陶器類やその他の自立型美術芸術品を展示することができる。
【０２４５】
図１３３に、独立した一つの支持パネル１３３．７００からなり、上記のブラケットによってパネル１３３．７００から吊り下げた階段踏み段１３３．５５１を有する階段ケース１３３．５５０を示す図である。図１３４および図１３５においては、２つの側部を支持した階段を２枚のパネル１３４．７００から構成するが、階段踏み段１３４．５５１は上記のようなブラケット１３５．８７３によって両パネル１３４．７００に取り付ける。この例では、階段踏み段１３４．５５１に、図１３５に示すように、対向ブラケットによって組み立てた場合に張力が加わる。（１０４．７１２などの）前面さねはぎに階段踏み段の端部を嵌合できる。
【０２４６】
図１３６に、例えば図９、図１１、図１２、図４１〜図４４のブラケットなどのブラケットにネジなどによって取り付けたダブルフック式部材１３６．９３３を示す。この部材１３６．９３３は２つのハンギングアーム１３６．７２２および２つの部材１３６．７２０からなり、ブラケットに挿通でき、ブラケットをシート１０４．７００の２つの調整開口１０４．７０４に固定できる。
【０２４７】
開口を配列し、後部垂直チャネルまたは凹部を有するパネル１０４．７００の作用効果について述べると、複数の開口からなる配列により家具や物品を比較的簡単に再配置できる。電気製品を配置する場合には、後部の垂直に延長するチャネルによってケーブルを比較的簡単に上下に、あるいは入り口から出口のいずれかの中間地点に挿通できる。
【０２４８】
図１０４〜図１３５について説明したブラケットは鋳造によって製造でき、あるいは鋳造をシート材料製造と組み合わせて製造してもよく、単にシート材料によって製造してもよい。一体成形しない場合には、溶接やボルト締め付けなどの接合方法が使用できる。また、鋼やその他の都合のよい複合材料から製造してもよい。
【０２４９】
ブラケット支持フランジの端部のフランジを記述するために“ディスクフランジ”を使用してきたが、フランジの形状は図面について説明した円形に限定されるものではない。ブラケット支持体の開口より大きく、かつフランジスロットの幅より大きい任意の形状のディスクフランジを使用することが可能である。
【０２５０】
図面全体を通して、ブラケット支持体の要部であるピンについても円筒形として説明してきたが、ピンの形状は円形に限らない。本発明で使用するピンは、多角形支柱から不規則形状までの各種の形状を取ることができる。円形または円筒形として説明してきたディスクフランジについても同様で、他の形状、例えば正方形または正方形角柱、矩形または矩形角柱、正多角形または非正則多角形、多角角柱でもよい。
【０２５１】
以上説明してきたラッキングシステム、支持パネルおよびハンギングシステムは、任意の都合のよい材料から製造できる。例を挙げると、外注ベニヤをはじめとする任意のシート状合板および任意厚みの積層体、シート状で各種厚みのあらゆる種類のメラミン樹脂、パーティクルボード、中密度ファイーバーボード、即ちＣＲＡＦＴＷＯＯＤ（登録商標）、ＮＥＭＡ（登録商標）発砲ＰＶＣパネル、シート状または外注ボックス状のアルミニウム、鋼、加硫鋼、ステンレス鋼、連続木材、プラスチック類およびポリマー類、複合材料、ＬＡＭＩＮＥＸ（登録商標）カタログに記載がある装飾用積層品、アクリル樹脂、ファイバーグラス、ガラス、ケブラー繊維、ポリマー類、メゾナイト、任意の種類の金属類、リサイクル材料、ＡＢＳ、ＰＶＣ、インフレートＰＶＣポリマー、発泡ＰＶＣパネル、組積シート材、防音シート材料、コンクリート、ダイヤモンド類などである。
【０２５２】
支持フランジおよびスロットの構成によって得られる弾性および制動作用、ブラケット形状および長さ、ブラケット後部に形成したスロット、およびブラケット支持体およびそのピンの構成および物性が協調して、ある種の“懸架システム”になり、このようなラッキングシステムに保存保管すべき装置を保護することが可能になる。なお、使用する材料の寸法および物性は、必要に応じて目的レベルの弾性および制動作用を確保するために調節することができる。
【０２５３】
表１
2013521076.tif 000003
【０２５４】
表２
2013521076.tif 000004
【０２５５】
表１に、厚みがほぼ１９ｍｍで図１に示すスロット形状のダブル支持フランジにおいて図４２と同様なブラケットの端部に５．４ｋｇ、１３．８ｋｇ、１８ｋｇおよび２５ｋｇの質量を落下させる１００ｍｍ落下試験で得られたデータを示す。弾性および制動作用の尺度は、ラッキングシステムに発生した撓み量である。
【０２５６】
表２には、同じ質量を使用した静的試験においてこれら質量を３分間作用させて撓みを測定することによって得られたデータを示す。
【０２５７】
各ブラケットは十分な弾性、懸架作用または制動作用を示した。
【０２５８】
本発明の上記ラッキングシステム、ブラケットシステムおよびパネルシステムは、既述の物品などに加えて、以下のものと併用でき、かつこれらを支持できるものである。即ち、上記以外の商業用途、産業用途および家庭用途において使用することができる。例示すると、ＳＵＰＳ、ショートボード、ロングボード、スノーボード、スケートボード、スキー、ストック、水上スキー、ウェイクボード、ボディーボード、サーフ救命/救助ボード、カヌー/カヤック、ボート、ディンギー、ゴム‐ゾディアック、カタマラン、アウトリガー、フィッシング/クラブネット、釣りざお、フィッシングバスケット、パドル、オール、バイク、スクーター、スキューバタンク、ビーチアンブレラ、ジム用具、フットボール、ベースボールバット、バスケットボール/リングフープ、ローラーブレード、ローラースケート、ヘルメット、ゴーグル/フェースマスク/スノーケル、フリッパー、ウェットスーツ、小形用具およびマリーンスポーツ用具などのサーフ＆スポーツ用品がある。また、建築用途においても使用することができる。例示すると、あらゆる種類のキャビネット、化粧台、電気スイッチボード、小中学校工作室、オフィス用具、ベンチトップ、病院備品、キットホーム、プロジェクトホーム、解体可能なビル、鉱業、道具小屋、ガレージ、一般家屋、ホテル、パブおよびクラブ、洪水エリア、サーフクラブ、スポーツクラブ、ロッカーなどである。また、保存保管目的で家屋敷地や商用敷地でも使用できる。例示すると、リネン、ぼろきれ、カーテンロッド、カーテン、布巻物、カンバス、洗濯バスケット、クローズライン、釘類（ｐｅｇ）、窓枠、ｐｃ/ハードドライブ/モニター、フラットスクリーンＴＶ、ラップトップ、鞄類、スーツケース/ブリーフケース、スーツバッグ、ハンドバッグ、金物類、ガーデニング用具である。さらに、機器＆自動車分野にも使用できる。例示すると、電動工具、電気コード、ロープ、粗麻ロープ、ケーブル、土壌（バッグ）、鉢植え用ミックス、木材、釘類（ｎａｉｌ）、万力、道具箱、ブロック＆タックル、シャベル/すき、塗料缶、ペンキブラシ、建築資材、ウェブ、ガーデンホース、ホースリール、内管、タイヤ、芝刈り機、フィッパースニッパー（ｗｈｉｐｐｅｒ  ｓｎｉｐｐｅｒ）、チェーンソー、バーベキュー、ガスシリンダー、ごみビン、ステップラダー、ロック、船外モーター、車の座席/マット/ヘッドレスト、フロントガラス、ルーフラック、バイクラック、包装機器、テントなどである。また台所用品にも使用できる。例示すると、ソースパン、ガラス食器、ワインラック、瀬戸物類、刃物類、果物＆野菜、ピクニックバスケット、エスキーなどである。その他電子機器類、衣類、スピーカーなどの医療用具、レコード、カメラ装置、ＤＶＤ、書籍、雑誌、宝石類、メーキャップ、ハンガー、パーカー、ゴム長靴、靴類、ステーショナリー（ｓｔａｔｉｏｎａｒｙ）、美術芸術品、塑像、工芸品、キャンドル、マネキン、スケール、鳥かご、ペット用品、ゴルフバッグ/クラブ、病院で使用される雑事用具、手術器具、医療用品、光学機器、鍵などである。
【０２５９】
なお、本明細書で使用する“からなる”は“開いた”意味で、即ち“有する”と解釈することもでき、“閉じた”意味、即ち“のみからなる”という意味に限定されない。これは、同様な言い回しについてもあてはまる。
【０２６０】
以上開示し、定義してきた本発明は、本明細書で述べ、かつ本明細書から明らかな個々の特徴の２つかそれ以上の組み合わせのすべてに拡張することができる。これら異なるすべての組み合わせも本発明の各種の態様を構成するものである。
【０２６１】
以上の本発明の具体的な実施態様を記述してきたが、当業者ならば、本発明の本質的な特徴から逸脱しなくても、他の実施態様を具体化できるはずである。本発明の実施態様および実施例は、従って、あらゆる点で例示のみを目的とし、制限を意図するものではない。従って、当業者にとって自明なすべての変形例は、本発明の範囲に包摂され得るものである。
【符号の説明】
【０２６２】
１１９．７７１：ハンギングシステム
１１９．７７０：ブラケット支持プレート
１０４．７０４：開口
１０４．７００：支持パネル
１１９．７２２：ハンギングアーム
１１９．７２０：部材
１０４．７０２：さねはぎまたは凹部／後部チャネル
１２４．７００：パネル
【図１】
2013521076.tif 000005
【図２】
2013521076.tif 000006
【図３】
2013521076.tif 000007
【図３Ａ】
2013521076.tif 000008
【図４】
2013521076.tif 000009
【図４Ａ】
2013521076.tif 000010
【図５】
2013521076.tif 000011
【図６】
2013521076.tif 000012
【図７】
2013521076.tif 000013
【図８ａ】
2013521076.tif 000014
【図８ｂ】
2013521076.tif 000015
【図９】
2013521076.tif 000016
【図１０】
2013521076.tif 000017
【図１１】
2013521076.tif 000018
【図１２】
2013521076.tif 000019
【図１３】
2013521076.tif 000020
【図１４】
2013521076.tif 000021
【図１５】
2013521076.tif 000022
【図１６】
2013521076.tif 000023
【図１７】
2013521076.tif 000024
【図１８】
2013521076.tif 000025
【図１９】
2013521076.tif 000026
【図２０】
2013521076.tif 000027
【図２１】
2013521076.tif 000028
【図２２】
2013521076.tif 000029
【図２３】
2013521076.tif 000030
【図２４】
2013521076.tif 000031
【図２５】
2013521076.tif 000032
【図２６】
2013521076.tif 000033
【図２７】
2013521076.tif 000034
【図２８】
2013521076.tif 000035
【図２９】
2013521076.tif 000036
【図２９Ａ】
2013521076.tif 000037
【図３０】
2013521076.tif 000038
【図３１】
2013521076.tif 000039
【図３２】
2013521076.tif 000040
【図３３】
2013521076.tif 000041
【図３４】
2013521076.tif 000042
【図３５】
2013521076.tif 000043
【図３６】
2013521076.tif 000044
【図３７】
2013521076.tif 000045
【図３８】
2013521076.tif 000046
【図３９】
2013521076.tif 000047
【図４０】
2013521076.tif 000048
【図４１】
2013521076.tif 000049
【図４２】
2013521076.tif 000050
【図４３】
2013521076.tif 000051
【図４４】
2013521076.tif 000052
【図４５】
2013521076.tif 000053
【図４６】
2013521076.tif 000054
【図４７】
2013521076.tif 000055
【図４８】
2013521076.tif 000056
【図４９】
2013521076.tif 000057
【図５０】
2013521076.tif 000058
【図５１】
2013521076.tif 000059
【図５２】
2013521076.tif 000060
【図５３】
2013521076.tif 000061
【図５４】
2013521076.tif 000062
【図５５】
2013521076.tif 000063
【図５６】
2013521076.tif 000064
【図５７】
2013521076.tif 000065
【図５８】
2013521076.tif 000066
【図５９】
2013521076.tif 000067
【図６０】
2013521076.tif 000068
【図６１】
2013521076.tif 000069
【図６２】
2013521076.tif 000070
【図６３】
2013521076.tif 000071
【図６４】
2013521076.tif 000072
【図６５】
2013521076.tif 000073
2013521076.tif 000074
【図６７】
2013521076.tif 000075
【図６８】
2013521076.tif 000076
【図６９】
2013521076.tif 000077
【図７０】
2013521076.tif 000078
【図７１】
2013521076.tif 000079
【図７２】
2013521076.tif 000080
【図７３】
2013521076.tif 000081
【図７４】
2013521076.tif 000082
【図７５】
2013521076.tif 000083
【図７６】
2013521076.tif 000084
【図７７】
2013521076.tif 000085
【図７８】
2013521076.tif 000086
【図７９】
2013521076.tif 000087
【図８０】
2013521076.tif 000088
【図８１】
2013521076.tif 000089
【図８２】
2013521076.tif 000090
【図８３】
2013521076.tif 000091
【図８４】
2013521076.tif 000092
【図８５】
2013521076.tif 000093
【図８６】
2013521076.tif 000094
【図８７】
2013521076.tif 000095
【図８８】
2013521076.tif 000096
【図８９】
2013521076.tif 000097
【図９０】
2013521076.tif 000098
【図９１】
2013521076.tif 000099
【図９２】
2013521076.tif 000100
【図９３】
2013521076.tif 000101
【図９４】
2013521076.tif 000102
【図９５】
2013521076.tif 000103
【図９６】
2013521076.tif 000104
【図９７】
2013521076.tif 000105
【図９８】
2013521076.tif 000106
【図９９】
2013521076.tif 000107
【図１００】
2013521076.tif 000108
【図１０１】
2013521076.tif 000109
【図１０２】
2013521076.tif 000110
【図１０３】
2013521076.tif 000111
【図１０４】
2013521076.tif 000112
【図１０５】
2013521076.tif 000113
【図１０６】
2013521076.tif 000114
【図１０７】
2013521076.tif 000115
【図１０８】
2013521076.tif 000116
【図１０９】
2013521076.tif 000117
【図１１０】
2013521076.tif 000118
【図１１１】
2013521076.tif 000119
【図１１２】
2013521076.tif 000120
【図１１３】
2013521076.tif 000121
【図１１４】
2013521076.tif 000122
【図１１５】
2013521076.tif 000123
【図１１６】
2013521076.tif 000124
【図１１６Ａ】
2013521076.tif 000125
【図１１７】
2013521076.tif 000126
【図１１８】
2013521076.tif 000127
【図１１９−１１９Ａ】
2013521076.tif 000128
【図１２０】
2013521076.tif 000129
【図１２０Ａ】
2013521076.tif 000130
【図１２１】
2013521076.tif 000131
【図１２２】
2013521076.tif 000132
【図１２２Ａ】
2013521076.tif 000133
【図１２３】
2013521076.tif 000134
【図１２３Ａ】
2013521076.tif 000135
【図１２４】
2013521076.tif 000136
【図１２５】
2013521076.tif 000137
【図１２６】
2013521076.tif 000138
【図１２６Ａ】
2013521076.tif 000139
【図１２７】
2013521076.tif 000140
【図１２８】
2013521076.tif 000141
【図１２９】
2013521076.tif 000142
【図１３０】
2013521076.tif 000143
【図１３１】
2013521076.tif 000144
【図１３２】
2013521076.tif 000145
2013521076.tif 000146
【図１３４】
2013521076.tif 000147
【図１３５】
2013521076.tif 000148
【図１３６】
2013521076.tif 000149
【国際調査報告】
2013521076.tif 000150
2013521076.tif 000151
2013521076.tif 000152
2013521076.tif 000153